(57)【特許請求の範囲】
【請求項１】
測定方法であって、
端末は、基地局から送信された狭帯域幅受信モードの切り替えメッセージを受信し、指定された狭帯域幅に切り替えて情報を受信することと、
ダウンリンクチャネルのチャネル状態情報を測定する必要がある時に、前記基地局のスケジューリングに従って、少なくとも２つの異なる測定狭帯域幅に順次に、切り替えてダウンリンク基準信号を測定することとを含み、
ここで、前記指定された狭帯域幅と前記少なくとも２つの異なる測定狭帯域幅の幅がいずれもシステム帯域幅の幅より小さく、
前記少なくとも２つの異なる測定狭帯域幅が第一の測定狭帯域幅と第二の測定狭帯域幅を含む場合、ダウンリンクチャネルのチャネル状態情報を測定する必要がある時に、前記基地局のスケジューリングに従って、少なくとも２つの異なる測定狭帯域幅に順次に、切り替えてダウンリンク基準信号を測定することは、
前記基地局によって前記指定された狭帯域幅の物理ダウンリンク制御チャネルで送信された第一のダウンリンク制御情報を受信し、前記第一のダウンリンク制御情報に、前記第一の測定狭帯域幅の帯域幅情報及び前記第一の測定狭帯域幅を測定する開始時間と終了時間が含まれることと、前記第一の測定狭帯域幅に切り替えてダウンリンク基準信号を測定することと、
前記第一の測定狭帯域幅を測定してから前記指定された狭帯域幅に切り替えた場合、前記基地局によって前記指定された狭帯域幅の物理ダウンリンク制御チャネルで送信された第二のダウンリンク制御情報を受信し、前記第二のダウンリンク制御情報に、前記第二の測定狭帯域幅の帯域幅情報及び前記第二の測定狭帯域幅を測定する開始時間と終了時間が含まれることと、前記第二の測定狭帯域幅に切り替えてダウンリンク基準信号を測定することとを含む、測定方法。
【請求項２】
前記測定方法はさらに、
前記指定された狭帯域幅に位置する物理ダウンリンク制御チャネルにおける前記端末に対するダウンリンク制御情報を受信することを含み、
前記ダウンリンク制御情報が、前記端末に対応する端末特定サーチスペースに位置し、且つ前記端末に対応する制御チャネルユニットアグリゲーションレベルを用いることを特徴とする
請求項１に記載の測定方法。
【請求項３】
前記少なくとも２つの異なる測定狭帯域幅が第一の測定狭帯域幅と第二の測定狭帯域幅を含む場合、ダウンリンクチャネルのチャネル状態情報を測定する必要がある時に、前記基地局のスケジューリングに従って、少なくとも２つの異なる測定狭帯域幅に順次に、切り替えてダウンリンク基準信号を測定することは、
前記基地局によって配置された、前記端末が前記ダウンリンク基準信号を測定するための測定パラメータを受信し、前記測定パラメータが、前記端末が前記ダウンリンク基準信号を測定するための周期、前記端末が前記周期内で前記第一の測定狭帯域幅で前記ダウンリンク基準信号を測定するための第一の期間情報、前記端末が前記周期内で前記第二の測定狭帯域幅で前記ダウンリンク基準信号を測定するための第二の期間情報を含み、前記測定パラメータを前記端末に送信し、ここで、前記周期が、前記端末が前記狭帯域幅受信モードに入り、第一の測定狭帯域幅に切り替えてダウンリンク基準信号を測定し、第二の測定狭帯域幅に切り替えてダウンリンク基準信号を測定し、前記狭帯域幅受信モードに再び入る時間長を含むことと、
前記測定パラメータに基づき、前記第一の測定狭帯域幅と前記第二の測定狭帯域幅に順次に、切り替えてダウンリンク基準信号を測定することとをさらに含むことを特徴とする
請求項１に記載の測定方法。
【請求項４】
前記測定パラメータに基づいて前記第一の測定狭帯域幅と前記第二の測定狭帯域幅に順次に、切り替えてダウンリンク基準信号を測定する前に、さらに、
前記基地局によって前記指定された狭帯域幅の物理ダウンリンク制御チャネルで送信されたトリガ信号を受信し、前記トリガ信号が、前記測定パラメータに基づいてシステム帯域幅に切り替えてダウンリンク基準信号を測定するように前記端末をトリガすることに用いられることを含むことを特徴とする
請求項３に記載の測定方法。
【請求項５】
前記基地局によって前記端末に配置された測定パラメータが少なくとも２つの異なる配置を含み、前記測定パラメータを受信する時に、前記指定された狭帯域幅の物理ダウンリンク制御チャネルの指示で前記測定パラメータの配置状況を確定し、
前記基地局は、現在の用いられている測定パラメータを変更する必要がある場合、前記基地局によって前記指定された狭帯域幅の物理ダウンリンク制御チャネルで送信された、別の配置された測定パラメータを用いて測定するように前記端末に指示するための情報を受信することを特徴とする
請求項３又は４に記載の測定方法。
【請求項６】
前記基地局によって前記少なくとも２つの測定狭帯域幅の帯域幅情報に配置された対応する測定狭帯域幅インデックスを受信し、前記測定狭帯域幅インデックスが、前記端末の切り替え先の測定狭帯域幅の帯域幅情報を示すことに用いられることを特徴とする
請求項１に記載の測定方法。
【請求項７】
前記測定方法はさらに、
前記基地局へダウンリンクチャネルのチャネル状態情報を報告し、前記ダウンリンクチャネルのチャネル状態情報が、前記端末によってプリセットアルゴリズムに基づいて前記少なくとも２つの異なる測定狭帯域幅に対する測定結果に対して計算して得られること、又は、前記基地局がプリセットアルゴリズムに基づいてダウンリンクチャネルのチャネル状態情報を計算するように、前記基地局へ前記少なくとも２つの測定狭帯域幅に対する測定結果を報告することと、
前記基地局から送信された測定停止メッセージを受信し、ダウンリンク基準信号の測定を停止することとを含むことを特徴とする
請求項１−４、６のいずれか一項に記載の測定方法。
【請求項８】
前記プリセットアルゴリズムは重み和計算、平均値計算又は極値を取り除いた後の平均値の計算を含むことを特徴とする
請求項７に記載の測定方法。
【請求項９】
端末であって、
基地局から送信された狭帯域幅受信モードの切り替えメッセージを受信するように構成される受信ユニットと、
前記切り替えメッセージに基づき、指定された狭帯域幅に切り替えて情報を受信するように構成される切り替えユニットとを備え、
前記切り替えユニットがさらにダウンリンクチャネルのチャネル状態情報を測定する必要がある時に、前記基地局のスケジューリングに従って、少なくとも２つの異なる測定狭帯域幅に順次に、切り替えてダウンリンク基準信号を測定するように構成され、
ここで、前記指定された狭帯域幅と前記少なくとも２つの異なる測定狭帯域幅の幅がいずれもシステム帯域幅の幅より小さく、
前記少なくとも２つの異なる測定狭帯域幅が第一の測定狭帯域幅と第二の測定狭帯域幅を含む場合、前記受信ユニットは具体的に、
前記基地局によって前記指定された狭帯域幅の物理ダウンリンク制御チャネルで送信された第一のダウンリンク制御情報を受信するように構成され、前記第一のダウンリンク制御情報に、前記第一の測定狭帯域幅の帯域幅情報及び前記第一の測定狭帯域幅を測定する開始時間と終了時間が含まれ、
前記切り替えユニットは具体的に前記第一の測定狭帯域幅に切り替えてダウンリンク基準信号を測定するように構成され、
前記第一の測定狭帯域幅を測定してから前記指定された狭帯域幅に切り替えた場合、前記受信ユニットはさらに、前記基地局によって前記指定された狭帯域幅の物理ダウンリンク制御チャネルで送信された第二のダウンリンク制御情報を受信するように構成され、前記第二のダウンリンク制御情報に、前記第二の測定狭帯域幅の帯域幅情報及び前記第二の測定狭帯域幅を測定する開始時間と終了時間が含まれ、前記切り替えユニットはさらに前記第二の測定狭帯域幅に切り替えてダウンリンク基準信号を測定するように構成される、端末。
【請求項１０】
前記受信ユニットは、さらに前記狭帯域幅に位置する物理ダウンリンク制御チャネルにおける前記端末に対するダウンリンク制御情報を受信するように構成され、
前記ダウンリンク制御情報が、前記端末に対応する端末特定サーチスペースに位置し、且つ前記端末に対応する制御チャネルユニットアグリゲーションレベルを用いることを特徴とする
請求項９に記載の端末。
【請求項１１】
前記少なくとも２つの異なる測定狭帯域幅が第一の測定狭帯域幅と第二の測定狭帯域幅を含む場合、前記受信ユニットはさらに、
前記基地局によって配置された、前記端末が前記ダウンリンク基準信号を測定するための測定パラメータを受信し、前記測定パラメータが、前記端末が前記ダウンリンク基準信号を測定するための周期、前記端末が前記周期内で前記第一の測定狭帯域幅で前記ダウンリンク基準信号を測定するための第一の期間情報、前記端末が前記周期内で前記第二の測定狭帯域幅で前記ダウンリンク基準信号を測定するための第二の期間情報を含み、前記測定パラメータを前記端末に送信するように構成され、ここで、前記周期が、前記端末が前記狭帯域幅受信モードに入り、第一の測定狭帯域幅に切り替えてダウンリンク基準信号を測定し、第二の測定狭帯域幅に切り替えてダウンリンク基準信号を測定し、前記狭帯域幅受信モードに再び入る時間長を含み、
前記切り替えユニットはさらに、
前記測定パラメータに基づき、前記第一の測定狭帯域幅と前記第二の測定狭帯域幅に順次に、切り替えてダウンリンク基準信号を測定するように構成されることを特徴とする
請求項９に記載の端末。
【請求項１２】
前記切り替えユニットが前記測定パラメータに基づいて前記第一の測定狭帯域幅と前記第二の測定狭帯域幅に順次に、切り替えてダウンリンク基準信号を測定する前に、前記受信ユニットはさらに、
前記基地局によって前記指定された狭帯域幅の物理ダウンリンク制御チャネルで送信されたトリガ信号を受信するように構成され、前記トリガ信号が、前記測定パラメータに基づいてシステム帯域幅に切り替えてダウンリンク基準信号を測定するように前記端末をトリガすることに用いられることを特徴とする
請求項１１に記載の端末。
【請求項１３】
前記基地局によって前記端末に配置された測定パラメータが少なくとも２つの異なる配置を含み、前記測定パラメータを受信する時に、前記切り替えユニットはさらに前記指定された狭帯域幅の物理ダウンリンク制御チャネルの指示で前記測定パラメータの配置状況を確定するように構成され、
前記基地局が現在の用いられている測定パラメータを変更する必要がある場合、前記受信ユニットはさらに前記基地局によって前記指定された狭帯域幅の物理ダウンリンク制御チャネルで送信された、別の配置された測定パラメータを用いて測定するように前記端末に指示するための情報を受信するように構成されることを特徴とする
請求項１１又は１２に記載の端末。
【請求項１４】
前記受信ユニットはさらに前記基地局によって前記少なくとも２つの測定狭帯域幅の帯域幅情報に配置された対応する測定狭帯域幅インデックスを受信するように構成され、前記測定狭帯域幅インデックスが、前記端末の切り替え先の測定狭帯域幅の帯域幅情報を示すことに用いられることを特徴とする
請求項９に記載の端末。
【請求項１５】
前記切り替えユニットはさらに前記基地局へダウンリンクチャネルのチャネル状態情報を報告し、前記ダウンリンクチャネルのチャネル状態情報が、前記端末によってプリセットアルゴリズムに基づいて前記少なくとも２つの異なる測定狭帯域幅に対する測定結果に対して計算して得られ、又は、前記基地局がプリセットアルゴリズムに基づいてダウンリンクチャネルのチャネル状態情報を計算するように、前記基地局へ前記少なくとも２つの測定狭帯域幅に対する測定結果を報告し、
前記基地局から送信された測定停止メッセージを受信し、ダウンリンク基準信号の測定を停止するように構成されることを特徴とする
請求項９−１２、１４のいずれか一項に記載の端末。
【請求項１６】
前記プリセットアルゴリズムは重み和計算、平均値計算又は極値を取り除いた後の平均値の計算を含むことを特徴とする
請求項１５に記載の端末。
【発明の詳細な説明】
【技術分野】
【０００１】
本発明は通信技術分野に関し、特に測定方法、基地局及び端末に関する。
【背景技術】
【０００２】
長期進化型（ＬＴＥ：Ｌｏｎｇ  Ｔｅｒｍ  Ｅｖｏｌｕｔｉｏｎ）システムでは、端末は全システム帯域幅でダウンリンク信号を受信する。ここで、ダウンリンク信号は、物理ダウリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）とダウンリンク共通基準信号、例えばセル固有基準信号（ＣＲＳ：Ｃｅｌｌ−ｓｐｅｃｉｆｉｃ  Ｒｅｆｅｒｅｎｃｅ  Ｓｉｇｎａｌｓ）及びチャネル状態情報基準信号（ＣＳＩ−ＲＳ：Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌｓ）を含む。ＬＴＥシステムによってサポートされるシステム帯域幅は、１．４ＭＨｚ、３ＭＨｚ、５ＭＨｚ、１０ＭＨｚ、１５ＭＨｚと２０ＭＨｚである。ここで典型的且つ広く使用されているシステム帯域幅は２０ＭＨｚと１０ＭＨｚである。ダウンリンクチャネルでそれぞれ１００個の物理リソースブロック（ＰＲＢ：Ｐｈｙｓｉｃａｌ  Ｒｅｓｏｕｒｃｅ  Ｂｌｏｃｋ）と５０個のＰＲＢに対応する。
【０００３】
従来のＬＴＥシステムでは、端末が常に全ダウンリンクシステム帯域幅でＰＤＣＣＨをブラインド検出するため、端末の電力消費が大きい。特に第５世代移動通信技術（５Ｇ：５−Ｇｅｎｅｒａｔｉｏｎ）システム及び後続のシステム帯域幅が大きい移動通信技術システムでは、搬送波の帯域幅が非常に広く、例えば２００ＭＨｚに達することができる。端末が依然としてＬＴＥシステム、即ち第４世代移動通信技術（４−Ｇｅｎｅｒａｔｉｏｎ）システムのように全帯域幅でＰＤＣＣＨを受信する場合、端末の電力消費は非常に高くなる。マシンタイプ通信（ＭＴＣ：Ｍａｃｈｉｎｅ  Ｔｙｐｅ  Ｃｏｍｍｕｎｉｃａｔｉｏｎｓ）をサポートする端末の場合、１．４ＭＨｚ即ち６つのＰＲＢの帯域幅でダウンリンク信号を復調することができる。このタイプの端末では、ダウンリンク帯域幅が狭くなるため、端末の電力消費が節約される。しかし、このタイプの端末が狭い帯域幅、例えば６つのＰＲＢでしか動作することができないため、端末の機能は大きく制限される。例えば、セルラシステムでは、端末はダウンリンクチャネルのチャネル状態情報（ＣＳＩ：Ｃｈａｎｎｅｌ  Ｓｔａｔｅ  Ｉｎｆｏｒｍａｔｉｏｎ）を測定し、基地局にフィードバックする必要がある。基地局は、端末によってフィードバックされたＣＳＩをダウンリンクデータをスケジューリングするための重要な依拠とする。端末によるダウンリンクチャネルのＣＳＩの測定は、一般的にダウンリンク基準信号、例えばＣＲＳ又はＣＳＩ−ＲＳを測定することで行われ、この２つのダウンリンク基準信号が基地局によって全システム帯域幅で送信されるものであるため、正確なダウンリンクチャネルのＣＳＩを得ることが困難であり、したがって、狭い帯域幅で動作する端末がダウンリンクチャネルのＣＳＩを測定するという問題を解決する必要がある。
【発明の概要】
【発明が解決しようとする課題】
【０００４】
本発明の実施例は、端末が狭帯域幅とシステム帯域幅との間で柔軟に切り替えることができ、端末の電力消費が低減されるとともに、ダウンリンクチャネルのＣＳＩの測定が実現される測定方法、基地局及び端末を提供する。
【課題を解決するための手段】
【０００５】
本発明の実施例の第一の態様による測定方法は、
基地局が端末へ狭帯域幅受信モードの切り替えメッセージを送信し、指定された狭帯域幅に切り替えて情報を受信するように前記端末に指示することと、
ダウンリンクチャネルのチャネル状態情報を測定する必要がある時に、前記基地局が少なくとも２つの異なる測定狭帯域幅に順次に、切り替えてダウンリンク基準信号を測定するように前記端末をスケジューリングすることとを含み、
ここで、前記狭帯域幅と前記少なくとも２つの異なる測定狭帯域幅の幅がいずれもシステム帯域幅の幅より小さい。
【０００６】
一つの可能な実施形態では、前記測定方法はさらに、
前記狭帯域幅に位置する物理ダウンリンク制御チャネルで前記端末に対するダウンリンク制御情報を送信することを含み、
前記ダウンリンク制御情報が、前記端末に対応する端末特定サーチスペースに位置し、且つ前記端末に対応する制御チャネルユニットアグリゲーションレベルを用いる。
【０００７】
一つの可能な実施形態では、前記少なくとも２つの異なる測定狭帯域幅が第一の測定狭帯域幅と第二の測定狭帯域幅を含む場合、ダウンリンクチャネルのチャネル状態情報を測定する必要がある時に、前記基地局が少なくとも２つの異なる測定狭帯域幅に順次に、切り替えてダウンリンク基準信号を測定するように前記端末をスケジューリングすることは、
基地局が、前記端末が前記ダウンリンク基準信号を測定するための測定パラメータを配置し、前記測定パラメータを前記端末に送信し、前記測定パラメータが、前記端末が前記ダウンリンク基準信号を測定するための周期、前記端末が前記周期内で前記第一の測定狭帯域幅で前記ダウンリンク基準信号を測定するための第一の期間情報、前記端末が前記周期内で前記第二の測定狭帯域幅で前記ダウンリンク基準信号を測定するための第二の期間情報を含み、ここで、前記周期が、前記端末が前記狭帯域幅受信モードに入り、第一の測定狭帯域幅に切り替えてダウンリンク基準信号を測定し、第二の測定狭帯域幅に切り替えてダウンリンク基準信号を測定し、前記狭帯域幅受信モードに再び入る時間長を含むことと、
前記測定パラメータに基づき、前記第一の測定狭帯域幅と前記第二の測定狭帯域幅に順次に、切り替えてダウンリンク基準信号を測定するように前記端末をスケジューリングすることとを含む。
【０００８】
一つの可能な実施形態では、前記測定パラメータに基づき、前記第一の測定狭帯域幅と前記第二の測定狭帯域幅に順次に、切り替えてダウンリンク基準信号を測定するように前記端末をスケジューリングする前に、さらに、
前記狭帯域幅の物理ダウンリンク制御チャネルでトリガ信号を送信し、前記トリガ信号が、前記測定パラメータに基づいて前記第一の測定狭帯域幅と前記第二の測定狭帯域幅に切り替えてダウンリンク基準信号を測定するように前記端末をトリガすることに用いられることを含む。
【０００９】
一つの可能な実施形態では、前記基地局によって前記端末に配置された測定パラメータが少なくとも２つの異なる配置を含み、前記測定パラメータを前記端末に送信する時に、前記狭帯域幅の物理ダウンリンク制御チャネルで前記端末に前記測定パラメータの配置状況を示し、
現在の用いられている測定パラメータを変更する必要がある場合、前記基地局は前記狭帯域幅の物理ダウンリンク制御チャネルで、別の配置された測定パラメータを用いて測定するように前記端末に指示する。
【００１０】
一つの可能な実施形態では、前記少なくとも２つの異なる測定狭帯域幅が第一の測定狭帯域幅と第二の測定狭帯域幅を含む場合、ダウンリンクチャネルのチャネル状態情報を測定する必要がある時に、前記基地局が少なくとも２つの異なる測定狭帯域幅に順次に、切り替えてダウンリンク基準信号を測定するように前記端末をスケジューリングすることは、
基地局が前記狭帯域幅の物理ダウンリンク制御チャネルで第一のダウンリンク制御情報を送信し、前記第一のダウンリンク制御情報に、前記第一の測定狭帯域幅の帯域幅情報及び前記第一の測定狭帯域幅を測定する開始時間と終了時間が含まれることと、前記第一の測定狭帯域幅に切り替えてダウンリンク基準信号を測定するように前記端末をスケジューリングすることと、
前記端末が前記第一の測定狭帯域幅を測定してから前記狭帯域幅に切り替えた場合、前記基地局が前記狭帯域幅の物理ダウンリンク制御チャネルで第二のダウンリンク制御情報を送信し、前記第二のダウンリンク制御情報に、前記第二の測定狭帯域幅の帯域幅情報及び前記第二の測定狭帯域幅を測定する開始時間と終了時間が含まれることと、前記第二の測定狭帯域幅に切り替えてダウンリンク基準信号を測定するように前記端末をスケジューリングすることとを含む。
【００１１】
一つの可能な実施形態では、前記基地局は前記少なくとも２つの測定狭帯域幅の帯域幅情報に、対応する測定狭帯域幅インデックスを配置し、前記測定狭帯域幅インデックスが、前記端末の切り替え先の測定狭帯域幅の帯域幅情報を示すことに用いられる。
【００１２】
一つの可能な実施形態では、前記測定方法はさらに、
前記端末によって報告されたダウンリンクチャネルのチャネル状態情報を受信し、前記ダウンリンクチャネルのチャネル状態情報が、前記端末によってプリセットアルゴリズムに基づいて前記少なくとも２つの異なる測定狭帯域幅に対する測定結果に対して計算して得られること、又は、前記端末によって報告された、前記少なくとも２つの測定狭帯域幅に対する測定結果を受信し、プリセットアルゴリズムに基づいてダウンリンクチャネルのチャネル状態情報を計算することと、
前記端末へ測定停止メッセージを送信し、ダウンリンク基準信号の測定を停止するように前記端末に指示することとを含む。
【００１３】
一つの可能な実施形態では、前記プリセットアルゴリズムは重み和計算、平均値計算又は極値を取り除いた後の平均値の計算を含む。
【００１４】
本発明の実施例の第二の態様による測定方法は、
端末が基地局から送信された狭帯域幅受信モードの切り替えメッセージを受信し、指定された狭帯域幅に切り替えて情報を受信することと、
ダウンリンクチャネルのチャネル状態情報を測定する必要がある時に、前記基地局のスケジューリングに従って、少なくとも２つの異なる測定狭帯域幅に順次に、切り替えてダウンリンク基準信号を測定することとを含み、
ここで、前記狭帯域幅と前記少なくとも２つの異なる測定狭帯域幅の幅がいずれもシステム帯域幅の幅より小さい。
【００１５】
一つの可能な実施形態では、前記測定方法はさらに、
前記狭帯域幅に位置する物理ダウンリンク制御チャネルにおける前記端末に対するダウンリンク制御情報を受信することを含み、
前記ダウンリンク制御情報が、前記端末に対応する端末特定サーチスペースに位置し、且つ前記端末に対応する制御チャネルユニットアグリゲーションレベルを用いる。
【００１６】
一つの可能な実施形態では、前記少なくとも２つの異なる測定狭帯域幅が第一の測定狭帯域幅と第二の測定狭帯域幅を含む場合、ダウンリンクチャネルのチャネル状態情報を測定する必要がある時に、前記基地局のスケジューリングに従って、少なくとも２つの異なる測定狭帯域幅に順次に、切り替えてダウンリンク基準信号を測定することは、
前記基地局によって配置された、前記端末が前記ダウンリンク基準信号を測定するための測定パラメータを受信し、前記測定パラメータが、前記端末が前記ダウンリンク基準信号を測定するための周期、前記端末が前記周期内で前記第一の測定狭帯域幅で前記ダウンリンク基準信号を測定するための第一の期間情報、前記端末が前記周期内で前記第二の測定狭帯域幅で前記ダウンリンク基準信号を測定するための第二の期間情報を含み、前記測定パラメータを前記端末に送信し、ここで、前記周期が、前記端末が前記狭帯域幅受信モードに入り、第一の測定狭帯域幅に切り替えてダウンリンク基準信号を測定し、第二の測定狭帯域幅に切り替えてダウンリンク基準信号を測定し、前記狭帯域幅受信モードに再び入る時間長を含むことと、
前記測定パラメータに基づき、前記第一の測定狭帯域幅と前記第二の測定狭帯域幅に順次に、切り替えてダウンリンク基準信号を測定することとを含む。
【００１７】
一つの可能な実施形態では、前記測定パラメータに基づき、前記第一の測定狭帯域幅と前記第二の測定狭帯域幅に順次に、切り替えてダウンリンク基準信号を測定する前に、さらに、
前記基地局によって前記狭帯域幅の物理ダウンリンク制御チャネルで送信されたトリガ信号を受信し、前記トリガ信号が、前記測定パラメータに基づいてシステム帯域幅に切り替えてダウンリンク基準信号を測定するように前記端末をトリガすることに用いられることを含む。
【００１８】
一つの可能な実施形態では、前記基地局によって前記端末に配置された測定パラメータが少なくとも２つの異なる配置を含み、前記測定パラメータを受信する時に、前記狭帯域幅の物理ダウンリンク制御チャネルの指示によって前記測定パラメータの配置状況を確定し、
前記基地局が現在の用いられている測定パラメータを変更する必要がある場合、前記基地局によって前記狭帯域幅の物理ダウンリンク制御チャネルで送信された、別の配置された測定パラメータを用いて測定するように前記端末に指示するための情報を受信する。
【００１９】
一つの可能な実施形態では、前記少なくとも２つの異なる測定狭帯域幅が第一の測定狭帯域幅と第二の測定狭帯域幅を含む場合、ダウンリンクチャネルのチャネル状態情報を測定する必要がある時に、前記基地局のスケジューリングに従って、少なくとも２つの異なる測定狭帯域幅に順次に、切り替えてダウンリンク基準信号を測定することは、
前記基地局によって前記狭帯域幅の物理ダウンリンク制御チャネルで送信された第一のダウンリンク制御情報を受信し、前記第一のダウンリンク制御情報に、前記第一の測定狭帯域幅の帯域幅情報及び前記第一の測定狭帯域幅を測定する開始時間と終了時間が含まれることと、前記第一の測定狭帯域幅に切り替えてダウンリンク基準信号を測定することと、
前記第一の測定狭帯域幅を測定してから前記狭帯域幅に切り替えた場合、前記基地局によって前記狭帯域幅の物理ダウンリンク制御チャネルで送信された第二のダウンリンク制御情報を受信し、前記第二のダウンリンク制御情報に、前記第二の測定狭帯域幅の帯域幅情報及び前記第二の測定狭帯域幅を測定する開始時間と終了時間が含まれることと、前記第二の測定狭帯域幅に切り替えてダウンリンク基準信号を測定することとを含む。
【００２０】
一つの可能な実施形態では、前記基地局によって前記少なくとも２つの測定狭帯域幅の帯域幅情報に配置された対応する測定狭帯域幅インデックスを受信し、前記測定狭帯域幅インデックスが、前記端末の切り替え先の測定狭帯域幅の帯域幅情報を示すことに用いられる。
【００２１】
一つの可能な実施形態では、前記測定方法はさらに、
前記基地局へダウンリンクチャネルのチャネル状態情報を報告し、前記ダウンリンクチャネルのチャネル状態情報が、前記端末によってプリセットアルゴリズムに基づいて前記少なくとも２つの異なる測定狭帯域幅に対する測定結果に対して計算して得られること、又は、前記基地局がプリセットアルゴリズムに基づいてダウンリンクチャネルのチャネル状態情報を計算するように、前記基地局へ前記少なくとも２つの測定狭帯域幅に対する測定結果を報告することと、
前記基地局から送信された測定停止メッセージを受信し、ダウンリンク基準信号の測定を停止することとを含む。
【００２２】
一つの可能な実施形態では、前記プリセットアルゴリズムは重み和計算、平均値計算又は極値を取り除いた後の平均値の計算を含む。
【００２３】
本発明の実施例の第三の態様による基地局は、
端末へ狭帯域幅受信モードの切り替えメッセージを送信し、指定された狭帯域幅に切り替えて情報を受信するように前記端末に指示するように構成される送信ユニットと、
ダウンリンクチャネルのチャネル状態情報を測定する必要がある時に、前記基地局が少なくとも２つの異なる測定狭帯域幅に順次に、切り替えてダウンリンク基準信号を測定するように前記端末をスケジューリングするように構成されるスケジューリングユニットとを備え、
ここで、前記狭帯域幅と前記少なくとも２つの異なる測定狭帯域幅の幅がいずれもシステム帯域幅の幅より小さい。
【００２４】
一つの可能な実施形態では、前記送信ユニットはさらに前記狭帯域幅に位置する物理ダウンリンク制御チャネルで前記端末に対するダウンリンク制御情報を送信するように構成され、
前記ダウンリンク制御情報が、前記端末に対応する端末特定サーチスペースに位置し、且つ前記端末に対応する制御チャネルユニットアグリゲーションレベルを用いる。
【００２５】
一つの可能な実施形態では、前記少なくとも２つの異なる測定狭帯域幅が第一の測定狭帯域幅と第二の測定狭帯域幅を含む場合、前記スケジューリングユニットは具体的に、
前記端末が前記ダウンリンク基準信号を測定するための測定パラメータを配置し、前記測定パラメータを前記端末に送信し、前記測定パラメータが、前記端末が前記ダウンリンク基準信号を測定するための周期、前記端末が前記周期内で前記第一の測定狭帯域幅で前記ダウンリンク基準信号を測定するための第一の期間情報、前記端末が前記周期内で前記第二の測定狭帯域幅で前記ダウンリンク基準信号を測定するための第二の期間情報を含み、ここで、前記周期が、前記端末が前記狭帯域幅受信モードに入り、第一の測定狭帯域幅に切り替えてダウンリンク基準信号を測定し、第二の測定狭帯域幅に切り替えてダウンリンク基準信号を測定し、前記狭帯域幅受信モードに再び入る時間長を含み、
前記測定パラメータに基づき、前記第一の測定狭帯域幅と前記第二の測定狭帯域幅に順次に、切り替えてダウンリンク基準信号を測定するように前記端末をスケジューリングするように構成される。
【００２６】
一つの可能な実施形態では、前記測定パラメータに基づき、前記第一の測定狭帯域幅と前記第二の測定狭帯域幅に順次に、切り替えてダウンリンク基準信号を測定するように前記端末をスケジューリングする前に、前記送信ユニットはさらに前記狭帯域幅の物理ダウンリンク制御チャネルでトリガ信号を送信するように構成され、前記トリガ信号が、前記測定パラメータに基づいて前記第一の測定狭帯域幅と前記第二の測定狭帯域幅に切り替えてダウンリンク基準信号を測定するように前記端末をトリガすることに用いられる。
【００２７】
一つの可能な実施形態では、前記基地局によって前記端末に配置された測定パラメータが少なくとも２つの異なる配置を含み、前記送信ユニットが前記測定パラメータを前記端末に送信する時に、前記スケジューリングユニットはさらに前記狭帯域幅の物理ダウンリンク制御チャネルで前記端末に前記測定パラメータの配置状況を示すように構成され、
現在の用いられている測定パラメータを変更する必要がある場合、前記スケジューリングユニットはさらに前記狭帯域幅の物理ダウンリンク制御チャネルで、別の配置された測定パラメータを用いて測定するように前記端末に指示するように構成される。
【００２８】
一つの可能な実施形態では、前記少なくとも２つの異なる測定狭帯域幅が第一の測定狭帯域幅と第二の測定狭帯域幅を含む場合、前記スケジューリングユニットは具体的に、
前記狭帯域幅の物理ダウンリンク制御チャネルで第一のダウンリンク制御情報を送信し、前記第一のダウンリンク制御情報に、前記第一の測定狭帯域幅の帯域幅情報及び前記第一の測定狭帯域幅を測定する開始時間と終了時間が含まれ、前記第一の測定狭帯域幅に切り替えてダウンリンク基準信号を測定するように前記端末をスケジューリングし、
前記端末が前記第一の測定狭帯域幅を測定してから前記狭帯域幅に切り替えた場合、前記狭帯域幅の物理ダウンリンク制御チャネルで第二のダウンリンク制御情報を送信し、前記第二のダウンリンク制御情報に、前記第二の測定狭帯域幅の帯域幅情報及び前記第二の測定狭帯域幅を測定する開始時間と終了時間が含まれ、前記第二の測定狭帯域幅に切り替えてダウンリンク基準信号を測定するように前記端末をスケジューリングするように構成される。
【００２９】
一つの可能な実施形態では、前記スケジューリングユニットはさらに前記少なくとも２つの測定狭帯域幅の帯域幅情報に、対応する測定狭帯域幅インデックスを配置するように構成され、前記測定狭帯域幅インデックスが、前記端末の切り替え先の測定狭帯域幅の帯域幅情報を示すことに用いられる。
【００３０】
一つの可能な実施形態では、前記スケジューリングユニットは、さらに前記端末によって報告されたダウンリンクチャネルのチャネル状態情報を受信し、前記ダウンリンクチャネルのチャネル状態情報が、前記端末によってプリセットアルゴリズムに基づいて前記少なくとも２つの異なる測定狭帯域幅に対する測定結果に対して計算して得られ、又は、前記端末によって報告された、前記少なくとも２つの測定狭帯域幅に対する測定結果を受信し、プリセットアルゴリズムに基づいてダウンリンクチャネルのチャネル状態情報を計算し、
前記端末へ測定停止メッセージを送信し、ダウンリンク基準信号の測定を停止するように前記端末に指示するように構成される。
【００３１】
一つの可能な実施形態では、前記プリセットアルゴリズムは重み和計算、平均値計算又は極値を取り除いた後の平均値の計算を含む。
【００３２】
本発明の実施例の第四の態様による基地局は、
プロセッサ、メモリ、送受信機とバスを備え、前記プロセッサ、メモリと送受信機がバスを介して接続され、ここで、前記送受信機が信号を送受信し、端末と通信するように構成され、前記メモリが１組のプログラムコードを記憶するように構成され、前記プロセッサが前記メモリに記憶されたプログラムコードを呼び出し、下記の操作を実行するように構成される：
前記送受信機を介して端末へ狭帯域幅受信モードの切り替えメッセージを送信し、指定された狭帯域幅に切り替えて情報を受信するように端末に指示し、
ダウンリンクチャネルのチャネル状態情報を測定する必要がある時に、少なくとも２つの異なる測定狭帯域幅に順次に、切り替えてダウンリンク基準信号を測定するように前記端末をスケジューリングし、
ここで、前記狭帯域幅と前記少なくとも２つの異なる測定狭帯域幅の幅がいずれもシステム帯域幅の幅より小さい。
【００３３】
一つの可能な実施形態では、前記プロセッサはさらに前記送受信機を介して前記狭帯域幅に位置する物理ダウンリンク制御チャネルで前記端末に対するダウンリンク制御情報を送信するように構成され、
前記ダウンリンク制御情報が、前記端末に対応する端末特定サーチスペースに位置し、且つ前記端末に対応する制御チャネルユニットアグリゲーションレベルを用いる。
【００３４】
一つの可能な実施形態では、前記少なくとも２つの異なる測定狭帯域幅が第一の測定狭帯域幅と第二の測定狭帯域幅を含む場合、前記プロセッサは具体的に、
前記端末が前記ダウンリンク基準信号を測定するための測定パラメータを配置し、前記測定パラメータが、前記端末が前記ダウンリンク基準信号を測定するための周期、前記端末が前記周期内で前記第一の測定狭帯域幅で前記ダウンリンク基準信号を測定するための第一の期間情報、前記端末が前記周期内で前記第二の測定狭帯域幅で前記ダウンリンク基準信号を測定するための第二の期間情報を含み、前記送受信機を介して前記測定パラメータを前記端末に送信し、ここで、前記周期が、前記端末が前記狭帯域幅受信モードに入り、第一の測定狭帯域幅に切り替えてダウンリンク基準信号を測定し、第二の測定狭帯域幅に切り替えてダウンリンク基準信号を測定し、前記狭帯域幅受信モードに再び入る時間長を含み、
前記測定パラメータに基づき、前記第一の測定狭帯域幅と前記第二の測定狭帯域幅に順次に、切り替えてダウンリンク基準信号を測定するように前記端末をスケジューリングするように構成される。
【００３５】
一つの可能な実施形態では、前記測定パラメータに基づき、前記第一の測定狭帯域幅と前記第二の測定狭帯域幅に順次に、切り替えてダウンリンク基準信号を測定するように前記端末をスケジューリングする前に、前記プロセッサはさらに、
前記送受信機を介して前記狭帯域幅の物理ダウンリンク制御チャネルでトリガ信号を送信するように構成され、前記トリガ信号が、前記測定パラメータに基づいて前記第一の測定狭帯域幅と前記第二の測定狭帯域幅に切り替えてダウンリンク基準信号を測定するように前記端末をトリガすることに用いられる。
【００３６】
一つの可能な実施形態では、前記基地局によって前記端末に配置された測定パラメータが少なくとも２つの異なる配置を含み、前記プロセッサはさらに前記測定パラメータを前記端末に送信する時に、前記狭帯域幅の物理ダウンリンク制御チャネルで前記端末に前記測定パラメータの配置状況を示すように構成され、
現在の用いられている測定パラメータを変更する必要がある場合、前記プロセッサはさらに前記狭帯域幅の物理ダウンリンク制御チャネルで、別の配置された測定パラメータを用いて測定するように前記端末に指示するように構成される。
【００３７】
一つの可能な実施形態では、前記少なくとも２つの異なる測定狭帯域幅が第一の測定狭帯域幅と第二の測定狭帯域幅を含む場合、前記プロセッサは具体的に、
前記狭帯域幅の物理ダウンリンク制御チャネルで第一のダウンリンク制御情報を送信し、前記第一のダウンリンク制御情報に、前記第一の測定狭帯域幅の帯域幅情報及び前記第一の測定狭帯域幅を測定する開始時間と終了時間が含まれ、前記第一の測定狭帯域幅に切り替えてダウンリンク基準信号を測定するように前記端末をスケジューリングし、
前記端末が前記第一の測定狭帯域幅を測定してから前記狭帯域幅に切り替えた場合、前記基地局が前記狭帯域幅の物理ダウンリンク制御チャネルで第二のダウンリンク制御情報を送信し、前記第二のダウンリンク制御情報に、前記第二の測定狭帯域幅の帯域幅情報及び前記第二の測定狭帯域幅を測定する開始時間と終了時間が含まれ、前記第二の測定狭帯域幅に切り替えてダウンリンク基準信号を測定するように前記端末をスケジューリングするように構成される。
【００３８】
一つの可能な実施形態では、前記プロセッサはさらに前記少なくとも２つの測定狭帯域幅の帯域幅情報に、対応する測定狭帯域幅インデックスを配置するように構成され、前記測定狭帯域幅インデックスが、前記端末の切り替え先の測定狭帯域幅の帯域幅情報を示すことに用いられる。
【００３９】
一つの可能な実施形態では、前記プロセッサは、さらに前記送受信機を介し、前記端末によって報告されたダウンリンクチャネルのチャネル状態情報を受信するように構成され、前記ダウンリンクチャネルのチャネル状態情報が、前記端末によってプリセットアルゴリズムに基づいて前記少なくとも２つの異なる測定狭帯域幅に対する測定結果に対して計算して得られ、又は、前記プロセッサは、さらに前記送受信機を介し、前記端末によって報告された、前記少なくとも２つの測定狭帯域幅に対する測定結果を受信し、プリセットアルゴリズムに基づいてダウンリンクチャネルのチャネル状態情報を計算し、
前記端末へ測定停止メッセージを送信し、ダウンリンク基準信号の測定を停止するように前記端末に指示するように構成される。
【００４０】
一つの可能な実施形態では、前記プリセットアルゴリズムは重み和計算、平均値計算又は極値を取り除いた後の平均値の計算を含む。
【００４１】
本発明の実施例の第五の態様による端末は、
基地局から送信された狭帯域幅受信モードの切り替えメッセージを受信するように構成される受信ユニットと、
前記切り替えメッセージに基づき、指定された狭帯域幅に切り替えて情報を受信するように構成される切り替えユニットとを備え、
前記切り替えユニットがさらにダウンリンクチャネルのチャネル状態情報を測定する必要がある時に、前記基地局のスケジューリングに従って、少なくとも２つの異なる測定狭帯域幅に順次に、切り替えてダウンリンク基準信号を測定するように構成され、
ここで、前記狭帯域幅と前記少なくとも２つの異なる測定狭帯域幅の幅がいずれもシステム帯域幅の幅より小さい。
【００４２】
一つの可能な実施形態では、前記受信ユニットはさらに前記狭帯域幅に位置する物理ダウンリンク制御チャネルにおける前記端末に対するダウンリンク制御情報を受信するように構成され、
前記ダウンリンク制御情報が、前記端末に対応する端末特定サーチスペースに位置し、且つ前記端末に対応する制御チャネルユニットアグリゲーションレベルを用いる。
【００４３】
一つの可能な実施形態では、前記少なくとも２つの異なる測定狭帯域幅が第一の測定狭帯域幅と第二の測定狭帯域幅を含む場合、前記受信ユニットは具体的に、
前記基地局によって配置された、前記端末が前記ダウンリンク基準信号を測定するための測定パラメータを受信し、前記測定パラメータが、前記端末が前記ダウンリンク基準信号を測定するための周期、前記端末が前記周期内で前記第一の測定狭帯域幅で前記ダウンリンク基準信号を測定するための第一の期間情報、前記端末が前記周期内で前記第二の測定狭帯域幅で前記ダウンリンク基準信号を測定するための第二の期間情報を含み、前記測定パラメータを前記端末に送信するように構成され、ここで、前記周期が、前記端末が前記狭帯域幅受信モードに入り、第一の測定狭帯域幅に切り替えてダウンリンク基準信号を測定し、第二の測定狭帯域幅に切り替えてダウンリンク基準信号を測定し、再前記狭帯域幅受信モードに再び入る時間長を含み、
前記切り替えユニットは具体的に、
前記測定パラメータに基づき、前記第一の測定狭帯域幅と前記第二の測定狭帯域幅に順次に、切り替えてダウンリンク基準信号を測定するように構成される。
【００４４】
一つの可能な実施形態では、前記切り替えユニットが前記測定パラメータに基づき、前記第一の測定狭帯域幅と前記第二の測定狭帯域幅に順次に、切り替えてダウンリンク基準信号を測定する前に、前記受信ユニットはさらに、
前記基地局によって前記狭帯域幅の物理ダウンリンク制御チャネルで送信されたトリガ信号を受信するように構成され、前記トリガ信号が、前記測定パラメータに基づいてシステム帯域幅に切り替えてダウンリンク基準信号を測定するように前記端末をトリガすることに用いられる。
【００４５】
一つの可能な実施形態では、前記基地局によって前記端末に配置された測定パラメータが少なくとも２つの異なる配置を含み、前記測定パラメータを受信する時に、前記切り替えユニットはさらに前記狭帯域幅の物理ダウンリンク制御チャネルの指示によって前記測定パラメータの配置状況を確定するように構成され、
前記基地局が現在の用いられている測定パラメータを変更する必要がある場合、前記受信ユニットはさらに前記基地局によって前記狭帯域幅の物理ダウンリンク制御チャネルで送信された、別の配置された測定パラメータを用いて測定するように前記端末に指示するための情報を受信するように構成される。
【００４６】
一つの可能な実施形態では、前記少なくとも２つの異なる測定狭帯域幅が第一の測定狭帯域幅と第二の測定狭帯域幅を含む場合、前記受信ユニットは具体的に、
前記基地局によって前記狭帯域幅の物理ダウンリンク制御チャネルで送信された第一のダウンリンク制御情報を受信するように構成され、前記第一のダウンリンク制御情報に、前記第一の測定狭帯域幅の帯域幅情報及び前記第一の測定狭帯域幅を測定する開始時間と終了時間が含まれ、
前記切り替えユニットは具体的に前記第一の測定狭帯域幅に切り替えてダウンリンク基準信号を測定するように構成され、
前記第一の測定狭帯域幅を測定してから前記狭帯域幅に切り替えた場合、前記受信ユニットはさらに、前記基地局によって前記狭帯域幅の物理ダウンリンク制御チャネルで送信された第二のダウンリンク制御情報を受信するように構成され、前記第二のダウンリンク制御情報に、前記第二の測定狭帯域幅の帯域幅情報及び前記第二の測定狭帯域幅を測定する開始時間と終了時間が含まれ、前記切り替えユニットはさらに前記第二の測定狭帯域幅に切り替えてダウンリンク基準信号を測定するように構成される。
【００４７】
一つの可能な実施形態では、前記受信ユニットはさらに前記基地局によって前記少なくとも２つの測定狭帯域幅の帯域幅情報に配置された対応する測定狭帯域幅インデックスを受信するように構成され、前記測定狭帯域幅インデックスが、前記端末の切り替え先の測定狭帯域幅の帯域幅情報を示すことに用いられる。
【００４８】
一つの可能な実施形態では、前記切り替えユニットはさらに前記基地局へダウンリンクチャネルのチャネル状態情報を報告し、前記ダウンリンクチャネルのチャネル状態情報が、前記端末によってプリセットアルゴリズムに基づいて前記少なくとも２つの異なる測定狭帯域幅に対する測定結果に対して計算して得られ、又は、前記基地局がプリセットアルゴリズムに基づいてダウンリンクチャネルのチャネル状態情報を計算するように、前記基地局へ前記少なくとも２つの測定狭帯域幅に対する測定結果を報告し、
前記基地局から送信された測定停止メッセージを受信し、ダウンリンク基準信号の測定を停止するように構成される。
【００４９】
一つの可能な実施形態では、前記プリセットアルゴリズムは重み和計算、平均値計算又は極値を取り除いた後の平均値の計算を含む。
【００５０】
本発明の実施例の第六の態様による端末は、
プロセッサ、メモリ、送信機、受信機とバスを備え、前記プロセッサ、メモリ、送信機と受信機がバスを介して接続され、ここで、前記送信機が信号を送信するように構成され、前記受信機が信号を受信するように構成され、前記送信機と前記受信機がそれぞれ独立して設置され又は集成して設置され、前記メモリが１組のプログラムコードを記憶するように構成され、前記プロセッサが前記メモリに記憶されたプログラムコードを呼び出し、下記の操作を実行するように構成される：
前記受信機を介し、基地局から送信された狭帯域幅受信モードの切り替えメッセージを受信し、指定された狭帯域幅に切り替えて情報を受信し、
ダウンリンクチャネルのチャネル状態情報を測定する必要がある時に、前記基地局のスケジューリングに従って、少なくとも２つの異なる測定狭帯域幅に順次に、切り替えてダウンリンク基準信号を測定し、
ここで、前記狭帯域幅と前記少なくとも２つの異なる測定狭帯域幅の幅がいずれもシステム帯域幅の幅より小さい。
【００５１】
一つの可能な実施形態では、前記プロセッサはさらに前記受信機を介して前記狭帯域幅に位置する物理ダウンリンク制御チャネルにおける前記端末に対するダウンリンク制御情報を受信するように構成され、
前記ダウンリンク制御情報が、前記端末に対応する端末特定サーチスペースに位置し、且つ前記端末に対応する制御チャネルユニットアグリゲーションレベルを用いる。
【００５２】
一つの可能な実施形態では、前記少なくとも２つの異なる測定狭帯域幅が第一の測定狭帯域幅と第二の測定狭帯域幅を含む場合、前記プロセッサは具体的に前記受信機を介し、前記基地局によって配置された、前記端末が前記ダウンリンク基準信号を測定するための測定パラメータを受信し、前記測定パラメータが、前記端末が前記ダウンリンク基準信号を測定するための周期、前記端末が前記周期内で前記第一の測定狭帯域幅で前記ダウンリンク基準信号を測定するための第一の期間情報、前記端末が前記周期内で前記第二の測定狭帯域幅で前記ダウンリンク基準信号を測定するための第二の期間情報を含み、前記測定パラメータを前記端末に送信し、ここで、前記周期が、前記端末が前記狭帯域幅受信モードに入り、第一の測定狭帯域幅に切り替えてダウンリンク基準信号を測定し、第二の測定狭帯域幅に切り替えてダウンリンク基準信号を測定し、前記狭帯域幅受信モードに再び入る時間長を含み、
前記測定パラメータに基づき、前記第一の測定狭帯域幅と前記第二の測定狭帯域幅に順次に、切り替えてダウンリンク基準信号を測定するように構成される。
【００５３】
一つの可能な実施形態では、前記プロセッサはさらに前記測定パラメータに基づいて前記第一の測定狭帯域幅と前記第二の測定狭帯域幅に順次に、切り替えてダウンリンク基準信号を測定する前に、前記受信機を介し、前記基地局によって前記狭帯域幅の物理ダウンリンク制御チャネルで送信されたトリガ信号を受信するように構成され、前記トリガ信号が、前記測定パラメータに基づいてシステム帯域幅に切り替えてダウンリンク基準信号を測定するように前記端末をトリガすることに用いられる。
【００５４】
一つの可能な実施形態では、前記基地局によって前記端末に配置された測定パラメータが少なくとも２つの異なる配置を含み、前記測定パラメータを受信する時に、前記プロセッサはさらに前記狭帯域幅の物理ダウンリンク制御チャネルの指示によって前記測定パラメータの配置状況を確定し、
前記基地局が現在の用いられている測定パラメータを変更する必要がある場合、前記受信機を介し、前記基地局によって前記狭帯域幅の物理ダウンリンク制御チャネルで送信された、別の配置された測定パラメータを用いて測定するように前記端末に指示するための情報を受信するように構成される。
【００５５】
一つの可能な実施形態では、前記少なくとも２つの異なる測定狭帯域幅が第一の測定狭帯域幅と第二の測定狭帯域幅を含む場合、前記プロセッサは具体的に、
前記受信機を介し、前記基地局によって前記狭帯域幅の物理ダウンリンク制御チャネルで送信された第一のダウンリンク制御情報を受信し、前記第一のダウンリンク制御情報に、前記第一の測定狭帯域幅の帯域幅情報及び前記第一の測定狭帯域幅を測定する開始時間と終了時間が含まれ、前記第一の測定狭帯域幅に切り替えてダウンリンク基準信号を測定し、
前記第一の測定狭帯域幅を測定してから前記狭帯域幅に切り替えた場合、前記受信機を介し、前記基地局によって前記狭帯域幅の物理ダウンリンク制御チャネルで送信された第二のダウンリンク制御情報を受信し、前記第二のダウンリンク制御情報に、前記第二の測定狭帯域幅の帯域幅情報及び前記第二の測定狭帯域幅を測定する開始時間と終了時間が含まれ、前記第二の測定狭帯域幅に切り替えてダウンリンク基準信号を測定するように構成される。
【００５６】
一つの可能な実施形態では、前記プロセッサはさらに受信機を介し、前記基地局によって前記少なくとも２つの測定狭帯域幅の帯域幅情報に配置された対応する測定狭帯域幅インデックスを受信するように構成され、前記測定狭帯域幅インデックスが、前記端末の切り替え先の測定狭帯域幅の帯域幅情報を示すことに用いられる。
【００５７】
一つの可能な実施形態では、前記プロセッサはさらに前記送信機を介して前記基地局へダウンリンクチャネルのチャネル状態情報を報告し、前記ダウンリンクチャネルのチャネル状態情報が、前記端末によってプリセットアルゴリズムに基づいて前記少なくとも２つの異なる測定狭帯域幅に対する測定結果に対して計算して得られ、又は、前記基地局がプリセットアルゴリズムに基づいてダウンリンクチャネルのチャネル状態情報を計算するように、前記基地局へ前記少なくとも２つの測定狭帯域幅に対する測定結果を報告し、
前記受信機を介し、前記基地局から送信された測定停止メッセージを受信し、ダウンリンク基準信号の測定を停止するように構成される。
【００５８】
一つの可能な実施形態では、前記プリセットアルゴリズムは重み和計算、平均値計算又は極値を取り除いた後の平均値の計算を含む。
【００５９】
本発明の実施例の第七の態様によるコンピュータ記憶媒体は本発明の実施例の第一の態様のいずれかの実施形態に記載の方法を実行するための一つのグループのコードを含む。
【００６０】
本発明の実施例の第八の態様によるコンピュータ記憶媒体は本発明の実施例の第二の態様のいずれかの実施形態に記載の方法を実行するための一つのグループのコードを含む。
【００６１】
本発明の実施例の第九の態様による測定方法は、
基地局が端末へ狭帯域幅受信モードの切り替えメッセージを送信し、指定された狭帯域幅に切り替えて情報を受信するように前記端末に指示することと、
少なくとも一つのダウンリンク同期信号を測定する必要がある場合、前記基地局が前記少なくとも一つのダウンリンク同期信号に対応する測定狭帯域幅に切り替えて測定するように前記端末をスケジュールすることとを含み、
ここで、前記狭帯域幅と前記測定狭帯域幅の幅がいずれもシステム帯域幅の幅より小さい。
【００６２】
本発明の実施例の第十の態様による測定方法は、
端末が基地局から送信された狭帯域幅受信モードの切り替えメッセージを受信し、指定された狭帯域幅に切り替えて情報を受信することと、
少なくとも一つのダウンリンク同期信号を測定する必要がある場合、前記基地局のスケジューリングに従って、前記少なくとも一つのダウンリンク同期信号に対応する測定狭帯域幅に切り替えて測定することとを含み、
ここで、前記狭帯域幅と前記測定狭帯域幅の幅がいずれもシステム帯域幅の幅より小さい。
【００６３】
本発明の実施例の第十一の態様による基地局は、
端末へ狭帯域幅受信モードの切り替えメッセージを送信し、指定された狭帯域幅に切り替えて情報を受信するように前記端末に指示するように構成される送信ユニットと、
少なくとも一つのダウンリンク同期信号を測定する必要がある場合、前記基地局が前記少なくとも一つのダウンリンク同期信号に対応する測定狭帯域幅に切り替えて測定するように前記端末をスケジュールするように構成されるスケジューリングユニットとを備え、
ここで、前記狭帯域幅と前記測定狭帯域幅の幅がいずれもシステム帯域幅の幅より小さい。
【００６４】
本発明の実施例の第十二の態様による基地局は、
プロセッサ、メモリ、送受信機とバスを備え、前記プロセッサ、メモリと送受信機がバスを介して接続され、ここで、前記送受信機が信号を送受信し、端末と通信するように構成され、前記メモリが１組のプログラムコードを記憶するように構成され、前記プロセッサが前記メモリに記憶されたプログラムコードを呼び出し、下記の操作を実行するように構成される：
前記送受信機を介して端末へ狭帯域幅受信モードの切り替えメッセージを送信し、指定された狭帯域幅に切り替えて情報を受信するように前記端末に指示し、
少なくとも一つのダウンリンク同期信号を測定する必要がある場合、前記基地局が前記少なくとも一つのダウンリンク同期信号に対応する測定狭帯域幅に切り替えて測定するように前記端末をスケジュールし、
ここで、前記狭帯域幅と前記測定狭帯域幅の幅がいずれもシステム帯域幅の幅より小さい。
【００６５】
本発明の実施例の第十三の態様による端末は、
基地局から送信された狭帯域幅受信モードの切り替えメッセージを受信するように構成される受信ユニットと、
前記切り替えメッセージに基づき、指定された狭帯域幅に切り替えて情報を受信するように構成される切り替えユニットとを備え、
前記切り替えユニットはさらに少なくとも一つのダウンリンク同期信号を測定する必要がある場合、前記基地局のスケジューリングに従って、前記少なくとも一つのダウンリンク同期信号に対応する測定狭帯域幅に切り替えて測定するように構成され、
ここで、前記狭帯域幅と前記測定狭帯域幅の幅がいずれもシステム帯域幅の幅より小さい。
【００６６】
本発明の実施例の第十四の態様による端末は、
プロセッサ、メモリ、送信機、受信機とバスを備え、前記プロセッサ、メモリ、送信機と受信機がバスを介して接続され、ここで、前記送信機が信号を送信するように構成され、前記受信機が信号を受信するように構成され、前記送信機と前記受信機がそれぞれ独立して設置され又は集成して設置され、前記メモリが１組のプログラムコードを記憶するように構成され、前記プロセッサが前記メモリに記憶されたプログラムコードを呼び出し、下記の操作を実行するように構成される：
前記受信機を介して基地局から送信された狭帯域幅受信モードの切り替えメッセージを受信し、
前記切り替えメッセージに基づき、指定された狭帯域幅に切り替え、
少なくとも一つのダウンリンク同期信号を測定する必要がある場合、前記基地局のスケジューリングに従って、前記少なくとも一つのダウンリンク同期信号に対応する測定狭帯域幅に切り替えて測定し、
ここで、前記狭帯域幅と前記測定狭帯域幅の幅がいずれもシステム帯域幅の幅より小さい。
【００６７】
本発明の実施例の第十五の態様によるコンピュータ記憶媒体は本発明の実施例の第九の態様のいずれかの実施形態に記載の方法を実行するための一つのグループのコードを含む。
【００６８】
本発明の実施例の第十六の態様によるコンピュータ記憶媒体は本発明の実施例の第十の態様のいずれかの実施形態に記載の方法を実行するための一つのグループのコードを含む。
【００６９】
本発明を実施する実施例は、以下の有益な効果を有する：
基地局は、切り替えメッセージを配置することで、端末が切り替える狭帯域幅受信モードを示し、狭帯域幅受信モードで、端末はシステム帯域幅より小さい狭帯域幅で信号を受信することができ、これにより、端末は大きなシステム帯域幅を検出する必要がなく、端末の電力消費と信号検出の遅延を低減することができ、狭帯域幅のＰＤＣＣＨにおいてＵＥ特定サーチスペースと固定された制御チャネルユニットアグリゲーションレベルのみを含むように配置するため、端末によって検出される情報量を減少することができ、それによって端末の電力消費をさらに低減させることができ、ダウンリンクチャネルのＣＳＩを測定する必要がある場合、基地局は少なくとも２つの異なる測定狭帯域幅に切り替えてダウンリンク基準信号を測定するように端末をスケジューリングすることができ、その後端末又は基地局は異なる測定狭帯域幅で測定された結果に基づいてダウンリンクチャネルのＣＳＩを計算し、最終的に端末の電力消費とシステム性能のバランスが達成され、ダウンリンクチャネルのＣＳＩを測定して得ることを確保し、ダウンリンクデータをスケジューリングするために参照を提供する。
【図面の簡単な説明】
【００７０】
【図１】本発明の実施例における通信システムのアーキテクチャ概略図である。
【図２】本発明に係る測定方法の第一の実施例のフローチャートである。
【図３】本発明に係る測定方法の第二の実施例のフローチャートである。
【図４】本発明の実施例における図３に示す方法を用いてダウンリンク基準信号を測定する概略図である。
【図５】本発明に係る測定方法の第三の実施例のフローチャートである。
【図６】本発明に係る測定方法の第四の実施例のフローチャートである。
【図７】本発明の実施例における図６に示す方法を用いてダウンリンク基準信号を測定する概略図である。
【図８】本発明に係る測定方法の第五の実施例のフローチャートである。
【図９】本発明に係る測定方法の第六の実施例のフローチャートである。
【図１０】本発明に係る測定方法の第七の実施例のフローチャートである。
【図１１】本発明に係る測定方法の第八の実施例のフローチャートである。
【図１２】本発明に係る基地局の第一の実施例の構成図である。
【図１３】本発明に係る基地局の第二の実施例の構成図である。
【図１４】本発明に係る端末の第一の実施例の構成図である。
【図１５】本発明に係る端末の第二の実施例の構成図である。
【図１６】本発明に係る測定方法の第九の実施例のフローチャートである。
【図１７】本発明に係る測定方法の第十の実施例のフローチャートである。
【図１８】本発明の実施例における図１７に示す方法を用いてダウンリンク同期信号を測定する概略図である。
【図１９】本発明の測定方法の第十一の実施例のフローチャートである。
【図２０】本発明の実施例における図１９に示す方法を用いてダウンリンク同期信号を測定する概略図である。
【図２１】本発明に係る測定方法の十二の実施例のフローチャートである。
【図２２】本発明に係る測定方法の第十三の実施例のフローチャートである。
【図２３】本発明に係る測定方法の第十四の実施例のフローチャートである。
【図２４】本発明に係る基地局の第三の実施例の構成図である。
【図２５】本発明に係る基地局の第四の実施例の構成図である。
【図２６】本発明に係る端末の第三の実施例の構成図である。
【図２７】本発明に係る端末の第四の実施例の構成図である。
【発明を実施するための形態】
【００７１】
本発明の実施例又は従来技術の技術的解決手段をより明確に説明するため、以下に実施例に必要な図面を簡単に説明するが、当然ながら、以下に記載する図面は本発明のいくつかの実施例だけであり、当業者であれば、創造的な労力を要することなく、これらの図面に基づいて他の図面に想到しうる。
【００７２】
本発明の明細書及び特許請求の範囲における用語「包括」と「有する」及びそれらのいかなる変形は、非排他的な包含をカバーすることを意図する。例えば一連のステップ又はユニットを含むプロセス、方法、システム、製品又は装置は示されたステップ又はユニットに限定されなく、選択可能に示されないステップ又はユニットを含み、又は選択可能にこれらのプロセス、方法、製品又は装置固有の他のステップ又はユニットを含む。
【００７３】
人々の通信ニーズが高まり続けるにつれて、通信技術は急速に発展しており、より多くのユーザにより大きい帯域幅、より速いアップリンク及びダウンリンク伝送速度などを提供することができる。例えば、５Ｇシステムでは、最大２００ＭＨｚのシステム帯域幅を提供することができる。システム帯域幅の拡張に伴い、端末が大きいシステム帯域幅でＰＤＣＣＨを受信する場合、端末の電力消費が高く、端末が常に狭い帯域幅で動作する場合、システム性能に影響を与え、端末が正常にダウンリンクチャネルのＣＳＩを測定することができなく、それによってダウンリンクデータの伝送に影響を与える。従って、本発明の実施例は、端末がシステム帯域幅より小さい狭帯域幅に切り替えて動作することができ、それによって端末の電力消費を節約し、またダウンリンクチャネルのＣＳＩを測定する必要がある場合、２つ以上の測定狭帯域幅に切り替えてダウンリンク基準信号を測定し、その後測定結果に応じてダウンリンクチャネルのＣＳＩを得ることができる測定方法を提供する。説明を容易にするために、本発明の実施例において５Ｇシステムで説明し、当業者は、本発明の実施例における実施形態が同様に従来の通信システム及び６Ｇ及び７Ｇのような将来のより高いレベルの通信システムに適用することができることを理解するべきであり、本発明の実施例は何ら限定されない。
【００７４】
以下に図面と組み合わせて本発明の実施例の測定方法及び装置を詳しく説明する。
【００７５】
図１は本発明の実施例における通信システムのアーキテクチャ概略図である。ここで基地局と少なくとも一つの端末を備えることができ、端末がユーザ装置（ＵＥ：Ｕｓｅｒ  Ｅｑｕｉｐｍｅｎｔ）と呼ばれてもよい。
【００７６】
ここで、基地局は進化型ノードＢ（ｅＮＢ：ｅｖｏｌｖｅｄ  Ｎｏｄｅ  Ｂ）、ノードＢ（ＮＢ：Ｎｏｄｅ  Ｂ）、基地局コントローラ（ＢＳＣ：Ｂａｓｅ  Ｓｔａｔｉｏｎ  Ｃｏｎｔｒｏｌｌｅｒ）、基地局送受信ステーション（ＢＴＳ：Ｂａｓｅ  Ｔｒａｎｓｃｅｉｖｅｒ  Ｓｔａｔｉｏｎ）、ホーム基地局（例えばＨＮＢ：Ｈｏｍｅ  ｅｖｏｌｖｅｄ  ＮｏｄｅＢ又はＨｏｍｅ  Ｎｏｄｅ  Ｂ）、ベースバンドユニット（ＢＢＵ：ＢａｓｅＢａｎｄ  Ｕｎｉｔ）などであってもよい。それは基地送受信機、無線基地局、無線送受信機、送受信機機能、基地局サブシステム（ＢＳＳ：Ｂａｓｅ  Ｓｔａｔｉｏｎ  Ｓｕｂ  ｓｙｓｔｅｍ）又は他のいくつかの適切な用語として当業者によって呼ばれてもよい。それは、伝送フォーマット、リソース割り当て、アップリンクスケジューリング許可、電力制御及びアップリンク再送信情報などを具体的に含むことができるダウンリンク制御情報をＰＤＣＣＨで搬送することができる。そしてＵＥへサービスのダウンリンクデータを受信し、端末の再送信フィードバックなどを受信することができる。基地局は狭帯域幅動作モードで動作するように端末をスケジューリングすることができ、狭帯域幅とシステム帯域幅の間に切り替えるように端末をスケジューリングすることもでき、ダウンリンクチャネルのＣＳＩを測定する必要がある時に、測定狭帯域幅に切り替えてダウンリンク基準信号を測定するように端末をスケジューリングする。
【００７７】
ここで、端末はセルラ電話、スマートフォン、セッション開始プロトコル（ＳＩＰ：Ｓｅｓｓｉｏｎ  Ｉｎｉｔｉａｔｉｏｎ  Ｐｒｏｔｏｃｏｌ）電話、ラップトップコンピュータ、パーソナルデジタルアシスタント（ＰＤＡ：Ｐｅｒｓｏｎａｌ  Ｄｉｇｉｔａｌ  Ａｓｓｉｓｔａｎｔ）、衛星ラジオ、全地球測位システム、マルチメディア装置、ビデオデバイス、デジタルオーディオプレーヤ（例えば、ＭＰ３プレーヤ）、カメラ、ゲーム機又は類似の機能を有する他の任意のデバイスを含むことができる。端末は移動局、加入者局、移動ユニット、加入者ユニット、無線ユニット、遠隔ユニット、移動装置、無線装置、無線通信装置、遠隔装置、移動加入者局、アクセス端末、移動装置、無線端末、遠隔端末、ハンドヘルドデバイス、ユーザエージェント、移動クライアント、クライアント又はいくつかの他の適切な用語として当業者によって呼ばれてもよい。それは、基地局によって配置された制御情報及び基地局によってスケジューリングされた時間周波数リソースを受信してアップリンクサービスデータ及び再送信フィードバック情報の伝送を行うことができる。また、基地局のスケジューリングに従って狭帯域幅と測定狭帯域幅の間に切り替えることもできる。ダウンリンクチャネルのＣＳＩに対する測定を実現する。
【００７８】
端末の電力消費を減少させるために、本発明の実施例では端末はシステム帯域幅より小さい狭帯域幅で動作するように構成されてもよく、以下に図２−図１０と組み合わせて本発明による測定方法を詳細に説明する。
【００７９】
図２は本発明による測定方法の第一の実施例のフローチャートである。本実施例では、前記測定方法は以下のステップを含む。
【００８０】
Ｓ２０１において、基地局は端末へ狭帯域幅受信モードの切り替えメッセージを送信し、指定された狭帯域幅に切り替えて情報を受信するように前記端末に指示する。
【００８１】
ここで、前記狭帯域幅の幅がシステム帯域幅の幅より小さい。前記切り替えメッセージは前記狭帯域幅受信モードに入るように端末に指示する時間及び前記狭帯域幅受信モードに入る時の周波数帯域における狭帯域幅の位置を含むことができる。
【００８２】
選択可能に、前記狭帯域幅受信モードに入る時間が前記狭帯域幅受信モードに入る開始時間を含むことができ、端末は該切り替えメッセージを受信した後、指定された開始時間に狭帯域幅受信モードに入り、基地局から送信された、狭帯域幅受信モードを停止するメッセージを受信するまでシステム帯域幅に切り替え、又は基地局から送信された、他の狭帯域幅又はシステム帯域幅に切り替えるメッセージを受信する時に、現在の狭帯域幅から他の狭帯域幅又はシステム帯域幅に切り替えることもできる。
【００８３】
前記狭帯域幅受信モードに入る時間が前記狭帯域幅受信モードに入る時間以外、狭帯域幅受信モードに入る終了時間を含むことができ、端末は指定された開始時間に狭帯域幅受信モードに入り、指定された終了時間にシステム帯域幅に切り替えて情報を受信することができる。
【００８４】
選択可能に、基地局は、狭帯域幅のみを受信するモードに切り替えるように上位層シグナリング例えば無線リソース制御プロトコル（ＲＲＣ：Ｒａｄｉｏ  Ｒｅｓｏｕｒｃｅ  Ｃｏｎｔｒｏｌ）、又は物理層シグナリング例えばＤＣＩによって端末に指示することができる。基地局は、狭帯域幅受信モードが開始する具体的な時点、及び周波数帯域における狭帯域幅の具体的な位置を端末に示すことができる。このようにして端末は、該切り替えメッセージに基づき、指定された狭帯域幅に切り替えて情報を受信することができる。狭帯域幅受信モードで、端末はそれ自身のＲＦ帯域幅を、システムが受信するように端末に指示することのみを受ける周波数帯域幅即ち指定された狭帯域幅に再調整（ｒｅｔｕｎｅ）することができる。例えば、基地局が端末の狭帯域幅が６つのＰＲＢ（１５Ｋ  Ｈｚサブ搬送波間隔を例とする場合、１．４ＭＨｚである）であることを示す場合、端末はそれ自身のＲＦユニットをシステムによって示される狭帯域幅の周波数帯域位置の６つのＰＲＢに再調整する。この時、端末はこの６つのＰＲＢに位置する信号のみを受信することができる。受信ＲＦ帯域幅が減少するため、端末は節電効果を得ることができる。端末は広いシステム帯域幅で信号を検出することなく、システム帯域幅より小さい狭帯域幅で信号を受信及び信号を検出するだけでよく、端末の動作量が減少し、端末の電力消費が低減し、端末の信号受信効率が向上する。
【００８５】
説明すべきものとして、マシンタイプ通信（ＭＴＣ：Ｍａｃｈｉｎｅ  Ｔｙｐｅ  Ｃｏｍｍｕｎｉｃａｔｉｏｎｓ）をサポートする端末の場合、１．４ＭＨｚ即ち６つのＰＲＢの帯域幅でダウンリンク信号を復調することができる。このタイプの端末に対して、ダウンリンク帯域幅が狭くなるため、端末の電力消費が節約される。しかし、このタイプの端末が狭い帯域幅例えば６つのＰＲＢみで動作することができるため、端末の機能は大きく制限される。本発明の実施例における狭帯域幅の幅がシステム帯域幅の幅より小さく、即ち本発明の実施例における狭帯域幅はシステム帯域幅より小さい周波数領域における幅である。従来の４Ｇシステムにおける１．４ＭＨｚの帯域幅の概念と異なる。例えば、従来の４Ｇシステムにおいて典型的なシステム帯域幅が１０ＭＨｚと２０ＭＨｚであり、システム帯域幅が１０ＭＨｚである場合、本発明の実施例における狭帯域幅は２ＭＨｚ、５ＭＨｚなどの１０ＭＨｚ未満の帯域幅であってもよく、システム帯域幅が２０ＭＨｚである場合、本発明の実施例における狭帯域幅は、５ＭＨｚ、１０ＭＨｚ、１２ＭＨｚなどの２０ＭＨｚ未満の帯域幅であってもよい。システム帯域幅が１．４ＭＨｚである場合、本発明の実施例における狭帯域幅は０．６ＭＨｚなどの１．４ＭＨｚ未満の帯域幅であってもよい。より大きい帯域幅の５Ｇシステムに対して、狭帯域幅は同様に５Ｇシステムにおけるシステム帯域幅より小さい帯域幅であってもよい。
【００８６】
端末の電力消費が主に、端末による全システム帯域幅での信号検出、端末によるＰＤＣＣＨのブラインド検出という２つの態様に具体化され、ＰＤＣＣＨのブラインド検出が異なる制御チャネルユニットアグリゲーションレベル例えば２、４、８及び異なるＤＣＩ長などの検出を含み、端末によって検出されたＤＣＩは、ＵＥ特定サーチスペースで検出する必要がある単一端末のみに対するＤＣＩだけでなく、共通サーチスペースで検出する必要がある複数の端末に対するＤＣＩをさらに含む。検出された内容が多いため、端末の電力も高くなり、この時、前記狭帯域幅に位置する物理ダウンリンク制御チャネルで前記端末に対するダウンリンク制御情報を送信することもできる。
【００８７】
ここで、前記ダウンリンク制御情報が、前記端末に対応する端末特定サーチスペースに位置し、且つ前記端末に対応する制御チャネルユニットアグリゲーションレベルを用いる。
【００８８】
狭帯域幅受信モードで、基地局は端末のＰＤＣＣＨを基地局に示される狭帯域幅に位置するようにスケジューリングすることに用いられる。端末がこのようなＰＤＣＣＨを受信する複雑さを低減させるために、狭帯域幅に位置するＰＤＣＣＨに単一の異なる端末に対するＤＣＩが含まれてもよく、狭帯域幅に位置する全ての端末に対するＤＣＩが含まれなく、又は、狭帯域幅に位置するＰＤＣＣＨにＵＥ特定サーチスペースのみが含まれ、共通サーチスペースが含まれない。同時に、単一の異なる端末に対するＤＣＩについて、その制御チャネルユニットアグリゲーションレベルが固定されてもよく、例えば基地局が端末に狭帯域幅受信モードを配置する時に、端末へそのユニットアグリゲーションレベルを指定することができる。
【００８９】
ＰＤＣＣＨにＵＥ特定サーチスペースと固定された制御チャネルユニットグリゲーションレベルのみが含まれるため、端末が狭帯域幅に位置するＰＤＣＣＨを受信する時に検出する必要がある情報量を減少することができ、それによってさらに端末の電力消費を低減させることができる。
【００９０】
Ｓ２０２において、ダウンリンクチャネルのチャネル状態情報を測定する必要がある時に、前記基地局は、少なくとも２つの異なる測定狭帯域幅に順次に、切り替えてダウンリンク基準信号を測定するように前記端末をスケジューリングする。
【００９１】
ここで、前記少なくとも２つの異なる測定狭帯域幅の幅がいずれもシステム帯域幅の幅より小さい。
【００９２】
前記狭帯域幅、少なくとも２つの異なる測定狭帯域幅がそれぞれ異なる周波数帯域に位置し、一部で重なってもよく又は完全に独立してもよく、本発明で何ら限定されなく、そして前記少なくとも２つの異なる測定狭帯域幅の和がシステム帯域幅であってもよいし、システム帯域幅の一部であってもよく、本発明の実施例で同様に何ら限定されない。
【００９３】
狭帯域幅受信モードにある端末に対して、基地局は、指定された時間に又は周期的に異なる周波数位置に位置する他の狭帯域幅即ち測定狭帯域幅に再調整してダウンリンク基準信号を測定するように端末に指示することができ、測定狭帯域幅で、端末は測定狭帯域幅に位置するダウンリンク基準信号を測定することで狭帯域幅のＣＳＩを形成することができる。基地局は測定された狭帯域幅のＣＳＩを用いてダウンリンクチャネルのＣＳＩを形成して基地局にフィードバックするように端末を配置することができ、又は基地局は測定された狭帯域幅のＣＳＩを基地局に直接フィードバックするように端末を配置することもでき、その後基地局は少なくとも２つの狭帯域幅のＣＳＩに基づいてダウンリンクチャネルのＣＳＩを計算する。基地局がダウンリンクデータのスケジューリングを行うために参照を提供する。端末の消費電力とシステム性能のバランスを達成する。
【００９４】
当然、２つ以上の測定狭帯域幅を用いて測定する以外、一つの測定狭帯域幅を用いて測定することができ、２つ以上の測定狭帯域幅を用いて測定する場合、測定結果の正確性が高い。
【００９５】
図３は本発明による測定方法の第二の実施例のフローチャートである。本実施例では、前記方法は以下のステップを含む。
【００９６】
Ｓ３０１において、基地局は端末へ狭帯域幅受信モードの切り替えメッセージを送信し、指定された狭帯域幅に切り替えて情報を受信するように前記端末に指示する。
【００９７】
Ｓ３０２において、基地局は前記端末が前記ダウンリンク基準信号を測定するための測定パラメータを配置し、前記測定パラメータを前記端末に送信する。
【００９８】
選択可能に、前記測定パラメータは、前記端末が前記ダウンリンク基準信号を測定するための周期、前記端末が前記周期内で前記第一の測定狭帯域幅で前記ダウンリンク基準信号を測定するための第一の期間情報、前記端末が前記周期内で前記第二の測定狭帯域幅で前記ダウンリンク基準信号を測定するための第二の期間情報を含む。
【００９９】
ここで、前記周期は前記端末が前記狭帯域幅受信モードに入り、第一の測定狭帯域幅に切り替えてダウンリンク基準信号を測定し、第二の測定狭帯域幅に切り替えてダウンリンク基準信号を測定し、前記狭帯域幅受信モードに再び入る時間長を含む。
【０１００】
Ｓ３０３において、前記測定パラメータに基づき、前記第一の測定狭帯域幅と前記第二の測定狭帯域幅に順次に、切り替えてダウンリンク基準信号を測定するように前記端末をスケジューリングする。
【０１０１】
図４は本発明の実施例における図３に示す方法を用いてダウンリンク基準信号を測定する概略図である。ここで、基地局はダウンリンク基準信号を測定する周期及び周期内において各測定狭帯域幅でダウンリンク基準信号を測定するための期間情報を配置することができる。例えばＴ１〜Ｔ１＋Ｌが一つの完全な周期であり、Ｔ３〜Ｔ４が測定狭帯域幅１でダウンリンク基準信号を測定する期間であり、Ｔ５〜Ｔ６が測定狭帯域幅２でダウンリンク基準信号を測定する期間である。Ｌが１４ｍｓであり、Ｔ３〜Ｔ４がその中の第５ｍｓ〜第６ｍｓを占有し、Ｔ５〜Ｔ６がその中の第８ｍｓ〜第１１ｍｓを占有すると仮定する場合、各周期に、基地局は、この２つの測定狭帯域幅に切り替えてダウンリンク基準信号を測定するように端末をスケジュールすることができる。当然、基地局はさらに端末が狭帯域幅にある期間情報を配置することができる。例えば、図４に示すように、基地局はＴ１〜Ｔ２時間で狭帯域幅受信モードにあり、Ｔ３〜Ｔ４時間で測定狭帯域幅１に再調整してダウンリンク基準信号を測定し、Ｔ５〜Ｔ６時間で測定狭帯域幅２に再調整してダウンリンク基準信号を測定し、Ｔ１＋Ｌ〜Ｔ２＋Ｌ時間で狭帯域幅受信モードに戻るように端末を予め配置することができる。ここで、時間Ｔ２〜Ｔ３は端末が狭帯域幅から測定狭帯域幅１に再調整するために残される時間間隔であり、時間Ｔ５〜Ｔ６は端末が測定狭帯域幅１から測定狭帯域幅２に再調整するために残される時間間隔であり、Ｔ６〜Ｔ１＋Ｌは端末が測定狭帯域幅２から狭帯域幅に再調整するために残される時間である。Ｌが測定周期全体の長さである。ここで測定狭帯域幅１と測定狭帯域幅２は全てシステム帯域幅に位置する。
【０１０２】
説明すべきものとして、説明を容易にするために、本発明の実施例では２つの測定狭帯域幅で測定するという方式を用いるが、当業者であれば、測定狭帯域幅が３つ以上である場合、同様に上記方式を用いて順次に、測定することができる。
【０１０３】
本発明の実施例では、具体的な周期と異なる測定狭帯域幅でダウンリンク基準信号を測定するための期間情報を配置することにより、端末は狭帯域幅モードに入る時に周期に従ってダウンリンクチャネルのＣＳＩの測定を行うことができる。基地局のシグナリングオーバーヘッドを節約することができる。当然、別の実施形態では、基地局が上記測定パラメータを配置した後、端末は、狭帯域幅受信モードに入った後、直ちに測定パラメータに従って測定を行うことなく、基地局のトリガを待つことができる。
【０１０４】
図５は本発明による測定方法の第三の実施例のフローチャートである。本実施例では、ステップＳ５０１−Ｓ５０２が図３のＳ３０１−Ｓ３０２と同じであり、ステップＳ５０４がＳ３０３と同じであり、ステップＳ５０４の前に、さらに以下のステップを含む。
【０１０５】
Ｓ５０３において、前記狭帯域幅の物理ダウンリンク制御チャネルでトリガ信号を送信する。
【０１０６】
前記トリガ信号は前記測定パラメータに基づき、前記第一の測定狭帯域幅と前記第二の測定狭帯域幅に順次に、切り替えてダウンリンク基準信号を測定するように前記端末をトリガすることに用いられる。
【０１０７】
選択可能に、基地局は狭帯域幅のＰＤＣＣＨでの信号、例えばＤＣＩにおけるいくつかのｂｉｔを用い、測定を開始するように端末をトリガすることができ、端末はトリガ信号を受信した後、図４に示す方式に従って測定を開始する。
【０１０８】
測定するように端末をトリガによってスケジューリングすることにより、基地局が測定するように端末をスケジューリングする柔軟性を、向上させることができる。
【０１０９】
そして図３−図５に示す実施例では、前記基地局によって前記端末に配置された測定パラメータが少なくとも２つの異なる配置を含み、前記測定パラメータを前記端末に送信する時に、前記狭帯域幅の物理ダウンリンク制御チャネルで前記端末に前記測定パラメータの配置状況を示し、
現在の用いられている測定パラメータを変更する必要がある場合、前記基地局は前記狭帯域幅の物理ダウンリンク制御チャネルで、別の配置された測定パラメータを用いて測定するように前記端末に指示することができる。
【０１１０】
例えば、基地局は３つの異なる配置のパラメータを予め配置し、基地局はまず狭帯域幅のＰＤＣＣＨを用い、第一の配置されたパラメータに従って測定を開始するように端末をトリガし、その後のある時点で、基地局は狭帯域幅のＰＤＣＣＨを再び用い、第二又は第三の配置されたパラメータを用いて測定を開始するように端末に指示することができる。
【０１１１】
図６は本発明による測定方法の第四の実施例のフローチャートである。本実施例では、前記方法は以下のステップを含む。
【０１１２】
Ｓ６０１において、基地局は端末へ狭帯域幅受信モードの切り替えメッセージを送信し、指定された狭帯域幅に切り替えて情報を受信するように前記端末に指示する。
【０１１３】
Ｓ６０２において、基地局は前記狭帯域幅の物理ダウンリンク制御チャネルで第一のダウンリンク制御情報を送信し、前記第一の測定狭帯域幅に切り替えてダウンリンク基準信号を測定するように前記端末をスケジューリングする。
【０１１４】
ここで、前記第一のダウンリンク制御情報に、前記第一の測定狭帯域幅の帯域幅情報及び前記第一の測定狭帯域幅を測定する開始時間と終了時間が含まれる。
【０１１５】
Ｓ６０３において、前記端末が前記第一の測定狭帯域幅を測定してから前記狭帯域幅に切り替えた場合、前記基地局は、前記狭帯域幅の物理ダウンリンク制御チャネルで第二のダウンリンク制御情報を送信し、前記第二の測定狭帯域幅に切り替えてダウンリンク基準信号を測定するように前記端末をスケジューリングする。
【０１１６】
ここで、前記第二のダウンリンク制御情報に、前記第二の測定狭帯域幅の帯域幅情報及び前記第二の測定狭帯域幅を測定する開始時間と終了時間が含まれる。
【０１１７】
選択可能に、ＤＣＩにおける帯域幅情報に占有されたスペースを減少するために、前記基地局は前記少なくとも２つの測定狭帯域幅の帯域幅情報に、対応する測定狭帯域幅インデックスを配置することができ、前記測定狭帯域幅インデックスが、前記端末の切り替え先の測定狭帯域幅の帯域幅情報を示すことに用いられる。基地局はシステム帯域幅をいくつかの測定狭帯域幅、例えば測定狭帯域幅１、測定狭帯域幅２などに予め分割することができ、異なる測定狭帯域幅が異なる測定狭帯域幅インデックス（ｉｎｄｅｘ）に対応し、基地局によって上位層シグナリング例えばＲＲＣシグナリングを介して端末に予め配置されてもよく、又は基地局と端末に直接予め記憶されてもよい。
【０１１８】
具体的なプロセスについて図７を参照することができ、図７は本発明の実施例における図６に示す方法を用いてダウンリンク基準信号を測定する概略図である。
【０１１９】
基地局は、狭帯域幅受信モードにある端末を狭帯域幅のＰＤＣＣＨでスケジューリングし、異なる測定狭帯域幅に再調整（ｒｅｔｕｎｅ）して対応する狭帯域幅のＣＳＩを測定する。例えば、基地局は、端末が測定する測定狭帯域幅のインデックス及び測定の開始時間及び終了時間を、狭帯域幅のＰＤＣＣＨで伝送されるＤＣＩによって示すことができる。狭帯域幅受信モードにある端末は、対応するスケジューリング情報を受信した後、対応する測定狭帯域幅に再調整（ｒｅｔｕｎｅ）して対応する狭帯域幅のＣＳＩを測定し、そして測定が終了した後に狭帯域幅受信モードに再調整する。図７に示すように、端末はＴ１〜Ｔ２時点で基地局のスケジューリング指示を受信し、時間Ｔ３〜Ｔ４で測定狭帯域幅１に対する狭帯域幅のＣＳＩを測定する。Ｔ２〜Ｔ３は端末が狭帯域幅から測定狭帯域幅１に再調整する時間である。測定狭帯域幅１に対する測定が終了した後、端末はＴ５〜Ｔ６時点で基地局のスケジューリング指示を受信し、Ｔ７〜Ｔ８時点で測定狭帯域幅２に対する狭帯域幅のＣＳＩを測定する。Ｔ６〜Ｔ７は端末が狭帯域幅から測定狭帯域幅２に再調整する時間である。
【０１２０】
本実施例では、基地局は異なる測定狭帯域幅で測定するように端末を単一のトリガによってスケジュールし、これにより、測定の柔軟性を向上させることができ、基地局が現在のニーズに応じて柔軟に配置することに有利である。
【０１２１】
最終的なダウンリンクチャネルのＣＳＩを得るために、基地局は図８に示す実施例の方法を実行することができる。
【０１２２】
図８は本発明による測定方法の第五の実施例のフローチャートである。本実施例では、前記測定方法は以下を含む。
【０１２３】
Ｓ８０１において、基地局は端末へ狭帯域幅受信モードの切り替えメッセージを送信し、指定された狭帯域幅に切り替えて情報を受信するように前記端末に指示する。
【０１２４】
Ｓ８０２において、ダウンリンクチャネルのチャネル状態情報を測定する必要がある時に、前記基地局は、少なくとも２つの異なる測定狭帯域幅に順次に、切り替えてダウンリンク基準信号を測定するように前記端末をスケジューリングする。
【０１２５】
Ｓ８０３において、前記端末によって報告されたダウンリンクチャネルのチャネル状態情報を受信し、前記ダウンリンクチャネルのチャネル状態情報が、前記端末によってプリセットアルゴリズムに基づいて前記少なくとも２つの異なる測定狭帯域幅に対する測定結果に対して計算して得られ、又は、前記端末によって報告された、前記少なくとも２つの測定狭帯域幅に対する測定結果を受信し、プリセットアルゴリズムに基づいてダウンリンクチャネルのチャネル状態情報を計算する。
【０１２６】
選択可能に、基地局は予め定められたプリセットアルゴリズムを端末に配置することができ、端末は、配置された計算方法に従い、異なる測定狭帯域幅の情報基準信号を測定して得られた狭帯域幅のＣＳＩにより、システム帯域幅のＣＳＩを計算することができる。
【０１２７】
前記プリセットアルゴリズムは重み和計算、平均値計算又は極値を取り除いた後の平均値の計算を含むことができるがこれらに限定されない。
【０１２８】
例えば、基地局は異なる狭帯域幅のＣＳＩに異なる重みをを割り当てることができ、端末は狭帯域幅のＣＳＩを重み付けして合計して得らた重み和を測定して基地局に必要なＣＳＩを測定して得ることができる。例えば、端末は狭帯域幅のＣＳＩ１と狭帯域幅のＣＳＩ２を測定して得り、基地局によって予め割り当てられた重みがそれぞれｗ１とｗ２であり、端末が基地局へ報告する必要があるＣＳＩ＝ｗ１＊ＣＳＩ１＋ｗ２＊ＣＳＩ２である。端末はＣＳＩ１とＣＳＩ２の平均値を求めてＣＳＩ＝（ＣＳＩ１＋ＣＳＩ２）／２を得ることもできる。多くの狭帯域幅を測定する場合、その中の極大値と極小値を除いた後、平均値を求めることができる。
【０１２９】
ここで、重み和計算によりシステム帯域幅のアップリンク及びダウンリンクチャネルのＣＳＩを計算する場合、測定狭帯域幅の周波数領域位置及び／又は幅に重みを割り当て、例えば最も頻繁に使用されるある周波数領域位置に高い重みを割り当て、使用率が低いある周波数領域位置に低い重みを割り当て、又は幅が大きい測定帯域幅に高い重みを割り当て、幅が小さい測定狭帯域幅に低い重みを割り当てることなどができ、本発明の実施例は何ら限定されない。
【０１３０】
端末は計算された結果を基地局に報告し、例えば物理アップリンク制御チャネル（ＰＵＣＣＨ：Ｐｈｙｓｉｃａｌ  Ｕｐｌｉｎｋ  Ｃｏｎｔｒｏｌ  Ｃｈａｎｎｅｌ）を介し又は物理アップリンク共有チャネル（ＰＵＳＣＨ：Ｐｈｙｓｉｃａｌ  Ｕｐｌｉｎｋ  Ｓｈａｒｅｄ  Ｃｈａｎｎｅｌ）で伝送されたアップリンク制御情報（ＵＣＩ：Ｕｐｌｉｎｋ  Ｃｏｎｔｒｏｌ  Ｉｎｆｏｒｍａｔｉｏｎ）を基地局に報告することができる。
【０１３１】
当然、端末は計算されたダウンリンクチャネルのＣＳＩを報告する以外、端末は取得された狭帯域幅のＣＳＩを基地局に直接フィードバックし、例えばＰＵＣＣＨ又はＰＵＳＣＨにおけるＵＣＩを介して報告するように基地局によって配置されてもよい。選択可能に、ＰＵＣＣＨを介してフィードバックする場合、基地局は異なる狭帯域幅のＣＳＩ（異なる測定狭帯域幅に対応する）に異なるＰＵＣＣＨリソースを割り当てることができる。ＵＣＩを介してフィードバックする場合、端末は、異なる狭帯域幅のＣＳＩを予め定められた方式に従って一つのグループのデータに組み合わせて伝送し、例えば狭帯域幅のＣＳＩ１、狭帯域幅のＣＳＩ２などを一つのグループのデータに順次に、組み合わせて基地局にフィードバックすることができる。
【０１３２】
基地局は、これらの狭帯域幅のＣＳＩを受信した後、上記端末側で説明されたプリセットアルゴリズムに基づいてシステム帯域幅のアップリンク及びダウンリンクチャネルのＣＳＩを計算して得ることができ、ここで説明を省略する。
【０１３３】
Ｓ８０４において、前記端末へ測定停止メッセージを送信し、ダウンリンク基準信号の測定を停止するように前記端末に指示する。
【０１３４】
そして基地局はさらに狭帯域幅のＰＤＣＣＨにおけるＤＣＩにより、ダウンリンク基準信号の測定を停止するように端末をトリガすることができる。基地局が端末から報告されたダウンリンクチャネルのＣＳＩ又は報告された各狭帯域幅のＣＳＩを受信した場合、基地局は端末によるダウンリンク基準信号の測定を一時的に停止することができる。基地局はその後のある時点で、ダウンリンク基準信号の測定を開始するように端末を再度トリガすることもできる。
【０１３５】
説明すべきものとして、図２−図８に示す測定方法の実施例は独立して実施されてもよいし、相互に組合わせられて実施されてもよく、例えば、図８の実施例では、図３−図７のいずれか一つの方式を用いて狭帯域幅のＣＳＩを測定することができる。本発明の実施例は何ら限定されない。
【０１３６】
図９は本発明による測定方法の第六の実施例のフローチャートである。本実施例では、前記測定方法は以下を含む。
【０１３７】
Ｓ９０１において、端末は基地局から送信された狭帯域幅受信モードの切り替えメッセージを受信し、指定された狭帯域幅に切り替えて情報を受信する。
【０１３８】
ここで、前記狭帯域幅の幅がシステム帯域幅の幅より小さい。前記切り替えメッセージに前記狭帯域幅受信モードに入るように端末に指示する時間及び前記狭帯域幅受信モードに入る時の周波数帯域における狭帯域幅の位置が含まれる。
【０１３９】
選択可能に、端末は、さらに前記狭帯域幅に位置する物理ダウンリンク制御チャネルにおける前記端末に対するダウンリンク制御情報を受信することができ、
前記ダウンリンク制御情報が、前記端末に対応する端末特定サーチスペースに位置し、且つ前記端末に対応する制御チャネルユニットアグリゲーションレベルを用いる。
【０１４０】
Ｓ９０２において、ダウンリンクチャネルのチャネル状態情報を測定する必要がある時に、前記基地局のスケジューリングに従って、少なくとも２つの異なる測定狭帯域幅に順次に、切り替えてダウンリンク基準信号を測定する。
【０１４１】
ここで、少なくとも２つの異なる測定狭帯域幅の幅がいずれもシステム帯域幅の幅より小さい。
【０１４２】
図９は端末側の実施例の説明であり、その具体的なプロセスについて図２に示す基地局側の実施例の説明を参照することができ、ここで説明を省略する。
【０１４３】
図１０は本発明による測定方法の第七の実施例のフローチャートである。本実施例では、前記測定方法は以下を含む。
【０１４４】
Ｓ１００１において、端末は基地局から送信された狭帯域幅受信モードの切り替えメッセージを受信し、指定された狭帯域幅に切り替えて情報を受信する。
【０１４５】
Ｓ１００２において、前記基地局によって配置された、前記端末が前記ダウンリンク基準信号を測定するための測定パラメータを受信する。
【０１４６】
前記測定パラメータが、前記端末が前記ダウンリンク基準信号を測定するための周期、前記端末が前記周期内で前記第一の測定狭帯域幅で前記ダウンリンク基準信号を測定するための第一の期間情報、前記端末が前記周期内で前記第二の測定狭帯域幅で前記ダウンリンク基準信号を測定するための第二の期間情報を含み、前記測定パラメータを前記端末に送信し、ここで、前記周期が、前記端末が前記狭帯域幅受信モードに入り、第一の測定狭帯域幅に切り替えてダウンリンク基準信号を測定し、第二の測定狭帯域幅に切り替えてダウンリンク基準信号を測定し、前記狭帯域幅受信モードに再び入る時間長を含む。
【０１４７】
Ｓ１００３において、前記測定パラメータに基づき、前記第一の測定狭帯域幅と前記第二の測定狭帯域幅に順次に、切り替えてダウンリンク基準信号を測定する。
【０１４８】
選択可能に、前記測定パラメータに基づき、前記第一の測定狭帯域幅と前記第二の測定狭帯域幅に順次に、切り替えてダウンリンク基準信号を測定する前に、さらに以下を含むことができる。
【０１４９】
前記基地局によって前記狭帯域幅の物理ダウンリンク制御チャネルで送信されたトリガ信号を受信し、前記トリガ信号が、前記測定パラメータに基づいてシステム帯域幅に切り替えてダウンリンク基準信号を測定するように前記端末をトリガすることに用いられる。
【０１５０】
選択可能に、図１０に示す実施例では、前記基地局が前記端末に配置できる測定パラメータが少なくとも２つの異なる配置を含み、前記測定パラメータを受信する時に、前記狭帯域幅の物理ダウンリンク制御チャネルの指示により前記測定パラメータの配置状況を確定し、
前記基地局が現在の用いられている測定パラメータを変更する必要がある場合、前記基地局によって前記狭帯域幅の物理ダウンリンク制御チャネルで送信された、別の配置された測定パラメータを用いて測定するように前記端末に指示するための情報を受信する。
【０１５１】
図１０は端末側の実施例の説明であり、その具体的なプロセスについて図３−図５に示す基地局側の実施例の説明を参照することができ、ここで説明を省略する。
【０１５２】
図１１は本発明による測定方法の第八の実施例のフローチャートである。本実施例では、前記測定方法は以下を含む。
【０１５３】
Ｓ１１０１において、端末は基地局から送信された狭帯域幅受信モードの切り替えメッセージを受信し、指定された狭帯域幅に切り替えて情報を受信する。
【０１５４】
Ｓ１１０２において、前記基地局によって前記狭帯域幅の物理ダウンリンク制御チャネルで送信された第一のダウンリンク制御情報を受信し、前記第一の測定狭帯域幅に切り替えてダウンリンク基準信号を測定する。
【０１５５】
前記第一のダウンリンク制御情報に、前記第一の測定狭帯域幅の帯域幅情報及び前記第一の測定狭帯域幅を測定する開始時間と終了時間が含まれる。
【０１５６】
Ｓ１１０３において、前記第一の測定狭帯域幅を測定してから前記狭帯域幅に切り替えた場合、前記基地局によって前記狭帯域幅の物理ダウンリンク制御チャネルで送信された第二のダウンリンク制御情報を受信し、前記第二の測定狭帯域幅に切り替えてダウンリンク基準信号を測定する。
【０１５７】
前記第二のダウンリンク制御情報に、前記第二の測定狭帯域幅の帯域幅情報及び前記第二の測定狭帯域幅を測定する開始時間と終了時間が含まれる。
【０１５８】
選択可能に、図１１に示す実施例では、さらに以下を含むことができる。
【０１５９】
前記基地局によって前記少なくとも２つの測定狭帯域幅の帯域幅情報に配置された対応する測定狭帯域幅インデックスを受信し、前記測定狭帯域幅インデックスが、前記端末の切り替え先の測定狭帯域幅の帯域幅情報を示すことに用いられる。
【０１６０】
図１１は端末側の実施例の説明であり、その具体的なプロセスについて図６に示す基地局側の実施例の説明を参照することができ、ここで説明を省略する。
【０１６１】
選択可能に、図９−図１１に示す実施例では、前記測定方法はさらに以下を含むことができる。
【０１６２】
前記測定方法はさらに、
前記基地局へダウンリンクチャネルのチャネル状態情報を報告し、前記ダウンリンクチャネルのチャネル状態情報が、前記端末によってプリセットアルゴリズムに基づいて前記少なくとも２つの異なる測定狭帯域幅に対する測定結果に対して計算して得られること、又は、前記基地局がプリセットアルゴリズムに基づいてダウンリンクチャネルのチャネル状態情報を計算するように、前記基地局へ前記少なくとも２つの測定狭帯域幅に対する測定結果を報告することと、
前記基地局から送信された測定停止メッセージを受信し、ダウンリンク基準信号の測定を停止することとを含む。
【０１６３】
前記プリセットアルゴリズムは重み和計算、平均値計算又は極値を取り除いた後の平均値の計算を含むことができるがこれらに限定されない。
【０１６４】
図１２は本発明に係る基地局の第一の実施例の構成図である。本実施例では、前記基地局は以下を備える。
【０１６５】
送信ユニット１００は、端末へ狭帯域幅受信モードの切り替えメッセージを送信し、指定された狭帯域幅に切り替えて情報を受信するように前記端末に指示するように構成される。
【０１６６】
スケジューリングユニット２００は、ダウンリンクチャネルのチャネル状態情報を測定する必要がある時に、前記基地局が少なくとも２つの異なる測定狭帯域幅に順次に、切り替えてダウンリンク基準信号を測定するように前記端末をスケジューリングするように構成される。
【０１６７】
ここで、前記狭帯域幅と前記少なくとも２つの異なる測定狭帯域幅の幅がいずれもシステム帯域幅の幅より小さい。
【０１６８】
選択可能に、前記送信ユニット１００は、さらに前記狭帯域幅に位置する物理ダウンリンク制御チャネルで前記端末に対するダウンリンク制御情報を送信するように構成され、
前記ダウンリンク制御情報が、前記端末に対応する端末特定サーチスペースに位置し、且つ前記端末に対応する制御チャネルユニットアグリゲーションレベルを用いる。
【０１６９】
選択可能に、前記少なくとも２つの異なる測定狭帯域幅が第一の測定狭帯域幅と第二の測定狭帯域幅を含む場合、前記スケジューリングユニット２００は具体的に、
前記端末が前記ダウンリンク基準信号を測定するための測定パラメータを配置し、前記測定パラメータを前記端末に送信し、前記測定パラメータが、前記端末が前記ダウンリンク基準信号を測定するための周期、前記端末が前記周期内で前記第一の測定狭帯域幅で前記ダウンリンク基準信号を測定するための第一の期間情報、前記端末が前記周期内で前記第二の測定狭帯域幅で前記ダウンリンク基準信号を測定するための第二の期間情報を含み、ここで、前記周期が、前記端末が前記狭帯域幅受信モードに入り、第一の測定狭帯域幅に切り替えてダウンリンク基準信号を測定し、第二の測定狭帯域幅に切り替えてダウンリンク基準信号を測定し、前記狭帯域幅受信モードに再び入る時間長を含み、
前記測定パラメータに基づき、前記第一の測定狭帯域幅と前記第二の測定狭帯域幅に順次に、切り替えてダウンリンク基準信号を測定するように前記端末をスケジューリングするように構成される。
【０１７０】
選択可能に、前記測定パラメータに基づき、前記第一の測定狭帯域幅と前記第二の測定狭帯域幅に順次に、切り替えてダウンリンク基準信号を測定するように前記端末をスケジューリングする前に、前記送信ユニット１００はさらに前記狭帯域幅の物理ダウンリンク制御チャネルでトリガ信号を送信するように構成され、前記トリガ信号が、前記測定パラメータに基づいて前記第一の測定狭帯域幅と前記第二の測定狭帯域幅に切り替えてダウンリンク基準信号を測定するように前記端末をトリガすることに用いられる。
【０１７１】
選択可能に、前記基地局によって前記端末に配置された測定パラメータが少なくとも２つの異なる配置を含み、前記送信ユニット１００が前記測定パラメータを前記端末に送信する時に、前記スケジューリングユニット２００はさらに前記狭帯域幅の物理ダウンリンク制御チャネルで前記端末に前記測定パラメータの配置状況を示すように構成され、
現在の用いられている測定パラメータを変更する必要がある場合、前記スケジューリングユニット２００はさらに前記狭帯域幅の物理ダウンリンク制御チャネルで、別の配置された測定パラメータを用いて測定するように前記端末に指示するように構成される。
【０１７２】
選択可能に、前記少なくとも２つの異なる測定狭帯域幅が第一の測定狭帯域幅と第二の測定狭帯域幅を含む場合、前記スケジューリングユニット２００は具体的に、
前記狭帯域幅の物理ダウンリンク制御チャネルで第一のダウンリンク制御情報を送信し、前記第一のダウンリンク制御情報に、前記第一の測定狭帯域幅の帯域幅情報及び前記第一の測定狭帯域幅を測定する開始時間と終了時間が含まれ、前記第一の測定狭帯域幅に切り替えてダウンリンク基準信号を測定するように前記端末をスケジューリングし、
前記端末が前記第一の測定狭帯域幅を測定してから前記狭帯域幅に切り替えた場合、前記狭帯域幅の物理ダウンリンク制御チャネルで第二のダウンリンク制御情報を送信し、前記第二のダウンリンク制御情報に、前記第二の測定狭帯域幅の帯域幅情報及び前記第二の測定狭帯域幅を測定する開始時間と終了時間が含まれ、前記第二の測定狭帯域幅に切り替えてダウンリンク基準信号を測定するように前記端末をスケジューリングするように構成される。
【０１７３】
選択可能に、前記スケジューリングユニット２００はさらに前記少なくとも２つの測定狭帯域幅の帯域幅情報に、対応する測定狭帯域幅インデックスを配置するように構成され、前記測定狭帯域幅インデックスが、前記端末の切り替え先の測定狭帯域幅の帯域幅情報を示すことに用いられる。
【０１７４】
選択可能に、前記スケジューリングユニット２００は、さらに前記端末によって報告されたダウンリンクチャネルのチャネル状態情報を受信し、前記ダウンリンクチャネルのチャネル状態情報が、前記端末によってプリセットアルゴリズムに基づいて前記少なくとも２つの異なる測定狭帯域幅に対する測定結果に対して計算して得られ、又は、前記端末によって報告された、前記少なくとも２つの測定狭帯域幅に対する測定結果を受信し、プリセットアルゴリズムに基づいてダウンリンクチャネルのチャネル状態情報を計算し、
前記端末へ測定停止メッセージを送信し、ダウンリンク基準信号の測定を停止するように前記端末に指示するように構成される。
【０１７５】
選択可能に、前記プリセットアルゴリズムは重み和計算、平均値計算又は極値を取り除いた後の平均値の計算を含む。
【０１７６】
図１３は本発明に係る基地局の第二の実施例の構成図である。本実施例では、前記基地局は、
プロセッサ１１０、メモリ１２０、送受信機１３０とバス１４０を備え、前記プロセッサ１１０、メモリ１２０と送受信機１３０がバス１４０を介して接続され、ここで、前記送受信機１３０が信号を送受信し、端末と通信するように構成され、前記メモリ１２０が１組のプログラムコードを記憶するように構成され、前記プロセッサ１１０が前記メモリ１２０に記憶されたプログラムコードを呼び出し、下記の操作を実行するように構成される：
前記送受信機１３０を介して端末へ狭帯域幅受信モードの切り替えメッセージを送信し、指定された狭帯域幅に切り替えて情報を受信するように前記端末に指示し、
ダウンリンクチャネルのチャネル状態情報を測定する必要がある時に、少なくとも２つの異なる測定狭帯域幅に順次に、切り替えてダウンリンク基準信号を測定するように前記端末をスケジューリングし、
ここで、前記狭帯域幅と前記少なくとも２つの異なる測定狭帯域幅の幅がいずれもシステム帯域幅の幅より小さい。
【０１７７】
選択可能に、前記プロセッサ１１０はさらに前記送受信機１３０を介して前記狭帯域幅に位置する物理ダウンリンク制御チャネルで前記端末に対するダウンリンク制御情報を送信するように構成され、
前記ダウンリンク制御情報が、前記端末に対応する端末特定サーチスペースに位置し、且つ前記端末に対応する制御チャネルユニットアグリゲーションレベルを用いる。
【０１７８】
選択可能に、前記少なくとも２つの異なる測定狭帯域幅が第一の測定狭帯域幅と第二の測定狭帯域幅を含む場合、前記プロセッサ２００は具体的に、
前記端末が前記ダウンリンク基準信号を測定するための測定パラメータを配置し、前記測定パラメータが、前記端末が前記ダウンリンク基準信号を測定するための周期、前記端末が前記周期内で前記第一の測定狭帯域幅で前記ダウンリンク基準信号を測定するための第一の期間情報、前記端末が前記周期内で前記第二の測定狭帯域幅で前記ダウンリンク基準信号を測定するための第二の期間情報を含み、前記送受信機１３０を介して前記測定パラメータを前記端末に送信し、ここで、前記周期が、前記端末が前記狭帯域幅受信モードに入り、第一の測定狭帯域幅に切り替えてダウンリンク基準信号を測定し、第二の測定狭帯域幅に切り替えてダウンリンク基準信号を測定し、前記狭帯域幅受信モードに再び入る時間長を含み、
前記測定パラメータに基づき、前記第一の測定狭帯域幅と前記第二の測定狭帯域幅に順次に、切り替えてダウンリンク基準信号を測定するように前記端末をスケジューリングするように構成される。
【０１７９】
選択可能に、前記測定パラメータに基づき、前記第一の測定狭帯域幅と前記第二の測定狭帯域幅に順次に、切り替えてダウンリンク基準信号を測定するように前記端末をスケジューリングする前に、前記プロセッサ１１０はさらに、
前記送受信機１３０を介して前記狭帯域幅の物理ダウンリンク制御チャネルでトリガ信号を送信するように構成され、前記トリガ信号が、前記測定パラメータに基づいて前記第一の測定狭帯域幅と前記第二の測定狭帯域幅に切り替えてダウンリンク基準信号を測定するように前記端末をトリガすることに用いられる。
【０１８０】
選択可能に、前記基地局によって前記端末に配置された測定パラメータが少なくとも２つの異なる配置を含み、前記プロセッサ１１０はさらに前記測定パラメータを前記端末に送信する時に、前記狭帯域幅の物理ダウンリンク制御チャネルで前記端末に前記測定パラメータの配置状況を示すように構成され、
現在の用いられている測定パラメータを変更する必要がある場合、前記プロセッサ１１０はさらに前記狭帯域幅の物理ダウンリンク制御チャネルで、別の配置された測定パラメータを用いて測定するように前記端末に指示するように構成される。
【０１８１】
選択可能に、前記少なくとも２つの異なる測定狭帯域幅が第一の測定狭帯域幅と第二の測定狭帯域幅を含む場合、前記プロセッサ１１０は具体的に、
前記狭帯域幅の物理ダウンリンク制御チャネルで第一のダウンリンク制御情報を送信し、前記第一のダウンリンク制御情報に、前記第一の測定狭帯域幅の帯域幅情報及び前記第一の測定狭帯域幅を測定する開始時間と終了時間が含まれ、前記第一の測定狭帯域幅に切り替えてダウンリンク基準信号を測定するように前記端末をスケジューリングし、
前記端末が前記第一の測定狭帯域幅を測定してから前記狭帯域幅に切り替えた場合、前記基地局が前記狭帯域幅の物理ダウンリンク制御チャネルで第二のダウンリンク制御情報を送信し、前記第二のダウンリンク制御情報に、前記第二の測定狭帯域幅の帯域幅情報及び前記第二の測定狭帯域幅を測定する開始時間と終了時間が含まれることと、前記第二の測定狭帯域幅に切り替えてダウンリンク基準信号を測定するように前記端末をスケジューリングするように構成される。
【０１８２】
選択可能に、前記プロセッサ１１０はさらに前記少なくとも２つの測定狭帯域幅の帯域幅情報に、対応する測定狭帯域幅インデックスを配置するように構成され、前記測定狭帯域幅インデックスが、前記端末の切り替え先の測定狭帯域幅の帯域幅情報を示すことに用いられる。
【０１８３】
選択可能に、前記プロセッサ１１０は、さらに前記送受信機１３０を介し、前記端末によって報告されたダウンリンクチャネルのチャネル状態情報を受信し、前記ダウンリンクチャネルのチャネル状態情報が、前記端末によってプリセットアルゴリズムに基づいて前記少なくとも２つの異なる測定狭帯域幅に対する測定結果に対して計算して得られ、又は、前記プロセッサ１１０は、さらに前記送受信機１３０を介して前記端末によって報告された、前記少なくとも２つの測定狭帯域幅に対する測定結果を受信し、プリセットアルゴリズムに基づいてダウンリンクチャネルのチャネル状態情報を計算し、
前記端末へ測定停止メッセージを送信し、ダウンリンク基準信号の測定を停止するように前記端末に指示するように構成される。
【０１８４】
選択可能に、前記プリセットアルゴリズムは重み和計算、平均値計算又は極値を取り除いた後の平均値の計算を含む。
【０１８５】
図１４は本発明に係る端末の第一の実施例の構成図である。本実施例では、前記基地局は以下を備える。
【０１８６】
受信ユニット３００は、基地局から送信された狭帯域幅受信モードの切り替えメッセージを受信するように構成される。
【０１８７】
切り替えユニット４００は、前記切り替えメッセージに基づき、指定された狭帯域幅に切り替えて情報を受信するように構成される。
【０１８８】
前記切り替えユニット４００はさらにダウンリンクチャネルのチャネル状態情報を測定する必要がある時に、前記基地局のスケジューリングに従って、少なくとも２つの異なる測定狭帯域幅に順次に、切り替えてダウンリンク基準信号を測定するように構成され、
ここで、前記狭帯域幅と前記少なくとも２つの異なる測定狭帯域幅の幅がいずれもシステム帯域幅の幅より小さい。
【０１８９】
選択可能に、前記受信ユニット３００は、さらに前記狭帯域幅に位置する物理ダウンリンク制御チャネルにおける前記端末に対するダウンリンク制御情報を受信するように構成され、
前記ダウンリンク制御情報が、前記端末に対応する端末特定サーチスペースに位置し、且つ前記端末に対応する制御チャネルユニットアグリゲーションレベルを用いる。
【０１９０】
選択可能に、前記少なくとも２つの異なる測定狭帯域幅が第一の測定狭帯域幅と第二の測定狭帯域幅を含む場合、前記受信ユニット３００は具体的に、
前記基地局によって配置された、前記端末が前記ダウンリンク基準信号を測定するための測定パラメータを受信し、前記測定パラメータが、前記端末が前記ダウンリンク基準信号を測定するための周期、前記端末が前記周期内で前記第一の測定狭帯域幅で前記ダウンリンク基準信号を測定するための第一の期間情報、前記端末が前記周期内で前記第二の測定狭帯域幅で前記ダウンリンク基準信号を測定するための第二の期間情報を含み、前記測定パラメータを前記端末に送信するように構成され、ここで、前記周期が、前記端末が前記狭帯域幅受信モードに入り、第一の測定狭帯域幅に切り替えてダウンリンク基準信号を測定し、第二の測定狭帯域幅に切り替えてダウンリンク基準信号を測定し、前記狭帯域幅受信モードに再び入る時間長を含み、
前記切り替えユニット４００は具体的に、
前記測定パラメータに基づき、前記第一の測定狭帯域幅と前記第二の測定狭帯域幅に順次に、切り替えてダウンリンク基準信号を測定するように構成される。
【０１９１】
選択可能に、前記切り替えユニット４００が前記測定パラメータに基づき、前記第一の測定狭帯域幅と前記第二の測定狭帯域幅に順次に、切り替えてダウンリンク基準信号を測定する前に、前記受信ユニット３００はさらに、
前記基地局によって前記狭帯域幅の物理ダウンリンク制御チャネルで送信されたトリガ信号を受信するように構成され、前記トリガ信号が、前記測定パラメータに基づいてシステム帯域幅に切り替えてダウンリンク基準信号を測定するように前記端末をトリガすることに用いられる。
【０１９２】
選択可能に、前記基地局によって前記端末に配置された測定パラメータが少なくとも２つの異なる配置を含み、前記測定パラメータを受信する時に、前記切り替えユニット４００はさらに前記狭帯域幅の物理ダウンリンク制御チャネルの指示により前記測定パラメータの配置状況を確定するように構成され、
前記基地局が現在の用いられている測定パラメータを変更する必要がある場合、前記受信ユニット３００はさらに前記基地局によって前記狭帯域幅の物理ダウンリンク制御チャネルで送信された、別の配置された測定パラメータを用いて測定するように前記端末に指示するための情報を受信するように構成される。
【０１９３】
選択可能に、前記少なくとも２つの異なる測定狭帯域幅が第一の測定狭帯域幅と第二の測定狭帯域幅を含む場合、前記受信ユニット３００は具体的に、
前記基地局によって前記狭帯域幅の物理ダウンリンク制御チャネルで送信された第一のダウンリンク制御情報を受信するように構成され、前記第一のダウンリンク制御情報に、前記第一の測定狭帯域幅の帯域幅情報及び前記第一の測定狭帯域幅を測定する開始時間と終了時間が含まれ、
前記切り替えユニット４００は具体的に前記第一の測定狭帯域幅に切り替えてダウンリンク基準信号を測定するように構成され、
前記第一の測定狭帯域幅を測定してから前記狭帯域幅に切り替えた場合、前記受信ユニット３００はさらに、前記基地局によって前記狭帯域幅の物理ダウンリンク制御チャネルで送信された第二のダウンリンク制御情報を受信するように構成され、前記第二のダウンリンク制御情報に、前記第二の測定狭帯域幅の帯域幅情報及び前記第二の測定狭帯域幅を測定する開始時間と終了時間が含まれ、前記切り替えユニット４００はさらに前記第二の測定狭帯域幅に切り替えてダウンリンク基準信号を測定するように構成される。
【０１９４】
選択可能に、前記受信ユニット３００はさらに前記基地局によって前記少なくとも２つの測定狭帯域幅の帯域幅情報に配置された対応する測定狭帯域幅インデックスを受信するように構成され、前記測定狭帯域幅インデックスが、前記端末の切り替え先の測定狭帯域幅の帯域幅情報を示すことに用いられる。
【０１９５】
前記切り替えユニット４００はさらに前記基地局へダウンリンクチャネルのチャネル状態情報を報告し、前記ダウンリンクチャネルのチャネル状態情報が、前記端末によってプリセットアルゴリズムに基づいて前記少なくとも２つの異なる測定狭帯域幅に対する測定結果に対して計算して得られ、又は、前記基地局がプリセットアルゴリズムに基づいてダウンリンクチャネルのチャネル状態情報を計算するように、前記基地局へ前記少なくとも２つの測定狭帯域幅に対する測定結果を報告し、
前記基地局から送信された測定停止メッセージを受信し、ダウンリンク基準信号の測定を停止するように構成される。
【０１９６】
選択可能に、前記プリセットアルゴリズムは重み和計算、平均値計算又は極値を取り除いた後の平均値の計算を含む。
【０１９７】
図１５は本発明に係る端末の第二の実施例の構成図である。本実施例では、前記端末は、
プロセッサ２１０、メモリ２２０、送信機２３０、受信機２４０とバス２５０を備え、前記プロセッサ２１０、メモリ２２０、送信機２３０と受信機２４０がバス２５０を介して接続され、ここで、前記送信機２３０が信号を送信するように構成され、前記受信機２４０が信号を受信するように構成され、前記送信機２３０と前記受信機２４０がそれぞれ独立して設置され又は集成して設置され、前記メモリ２２０が１組のプログラムコードを記憶するように構成され、前記プロセッサ２１０が前記メモリ２２０に記憶されたプログラムコードを呼び出し、下記の操作を実行するように構成される：
前記受信機２４０を介して基地局から送信された狭帯域幅受信モードの切り替えメッセージを受信し、指定された狭帯域幅に切り替えて情報を受信し、
ダウンリンクチャネルのチャネル状態情報を測定する必要がある時に、前記基地局のスケジューリングに従って、少なくとも２つの異なる測定狭帯域幅に順次に、切り替えてダウンリンク基準信号を測定し、
ここで、前記狭帯域幅と前記少なくとも２つの異なる測定狭帯域幅の幅がいずれもシステム帯域幅の幅より小さい。
【０１９８】
選択可能に、前記プロセッサ２１０はさらに前記送受信機２４０を介して前記狭帯域幅に位置する物理ダウンリンク制御チャネルにおける前記端末に対するダウンリンク制御情報を送信するように構成され、
前記ダウンリンク制御情報が、前記端末に対応する端末特定サーチスペースに位置し、且つ前記端末に対応する制御チャネルユニットアグリゲーションレベルを用いる。
【０１９９】
選択可能に、前記少なくとも２つの異なる測定狭帯域幅が第一の測定狭帯域幅と第二の測定狭帯域幅を含む場合、前記プロセッサ２１０は具体的に前記受信機２４０を介し、前記基地局によって配置された、前記端末が前記ダウンリンク基準信号を測定するための測定パラメータを受信し、前記測定パラメータが、前記端末が前記ダウンリンク基準信号を測定するための周期、前記端末が前記周期内で前記第一の測定狭帯域幅で前記ダウンリンク基準信号を測定するための第一の期間情報、前記端末が前記周期内で前記第二の測定狭帯域幅で前記ダウンリンク基準信号を測定するための第二の期間情報を含み、前記測定パラメータを前記端末に送信し、ここで、前記周期が、前記端末が前記狭帯域幅受信モードに入り、第一の測定狭帯域幅に切り替えてダウンリンク基準信号を測定し、第二の測定狭帯域幅に切り替えてダウンリンク基準信号を測定し、前記狭帯域幅受信モードに再び入る時間長を含み、
前記測定パラメータに基づき、前記第一の測定狭帯域幅と前記第二の測定狭帯域幅に順次に、切り替えてダウンリンク基準信号を測定するように構成される。
【０２００】
選択可能に、前記プロセッサ２１０はさらに前記測定パラメータに基づいて前記第一の測定狭帯域幅と前記第二の測定狭帯域幅に順次に、切り替えてダウンリンク基準信号を測定する前に、前記受信機２４０を介し、前記基地局によって前記狭帯域幅の物理ダウンリンク制御チャネルで送信されたトリガ信号を受信するように構成され、前記トリガ信号が、前記測定パラメータに基づいてシステム帯域幅に切り替えてダウンリンク基準信号を測定するように前記端末をトリガすることに用いられる。
【０２０１】
選択可能に、前記基地局によって前記端末に配置された測定パラメータが少なくとも２つの異なる配置を含み、前記測定パラメータを受信する時に、前記プロセッサ２１０はさらに前記狭帯域幅の物理ダウンリンク制御チャネルの指示により前記測定パラメータの配置状況を確定し、
前記基地局が現在の用いられている測定パラメータを変更する必要がある場合、前記受信機２４０を介し、前記基地局によって前記狭帯域幅の物理ダウンリンク制御チャネルで送信された、別の配置された測定パラメータを用いて測定するように前記端末に指示するための情報を受信するように構成される。
【０２０２】
選択可能に、前記少なくとも２つの異なる測定狭帯域幅が第一の測定狭帯域幅と第二の測定狭帯域幅を含む場合、前記プロセッサ２１０は具体的に、
前記受信機２４０を介し、前記基地局によって前記狭帯域幅の物理ダウンリンク制御チャネルで送信された第一のダウンリンク制御情報を受信し、前記第一のダウンリンク制御情報に、前記第一の測定狭帯域幅の帯域幅情報及び前記第一の測定狭帯域幅を測定する開始時間と終了時間が含まれ、前記第一の測定狭帯域幅に切り替えてダウンリンク基準信号を測定し、
前記第一の測定狭帯域幅を測定してから前記狭帯域幅に切り替えた場合、前記受信機２４０を介し、前記基地局によって前記狭帯域幅の物理ダウンリンク制御チャネルで送信された第二のダウンリンク制御情報を受信し、前記第二のダウンリンク制御情報に、前記第二の測定狭帯域幅の帯域幅情報及び前記第二の測定狭帯域幅を測定する開始時間と終了時間が含まれ、前記第二の測定狭帯域幅に切り替えてダウンリンク基準信号を測定するように構成される。
【０２０３】
選択可能に、前記プロセッサ２１０はさらに前記受信機２４０を介し、前記基地局によって前記少なくとも２つの測定狭帯域幅の帯域幅情報に配置された対応する測定狭帯域幅インデックスを受信するように構成され、前記測定狭帯域幅インデックスが、前記端末の切り替え先の測定狭帯域幅の帯域幅情報を示すことに用いられる。
【０２０４】
選択可能に、前記プロセッサ２１０はさらに前記送信機２３０を介して前記基地局へダウンリンクチャネルのチャネル状態情報を報告し、前記ダウンリンクチャネルのチャネル状態情報が、前記端末によってプリセットアルゴリズムに基づいて前記少なくとも２つの異なる測定狭帯域幅に対する測定結果に対して計算して得られ、又は、前記基地局がプリセットアルゴリズムに基づいてダウンリンクチャネルのチャネル状態情報を計算するように、前記基地局へ前記少なくとも２つの測定狭帯域幅に対する測定結果を報告し、
前記受信機２４０を介し、前記基地局から送信された測定停止メッセージを受信し、ダウンリンク基準信号の測定を停止するように構成される。
【０２０５】
選択可能に、前記プリセットアルゴリズムは重み和計算、平均値計算又は極値を取り除いた後の平均値の計算を含む。
【０２０６】
本実施例で説明される基地局は、本発明において図２−図６と組み合わせて説明された方法の実施例における一部又は全てのプロセスを実施し、本発明において図１０と説明された装置の実施例における一部又は全ての機能を実行することに用いられてもよく、本実施例で説明される端末は、本発明において図７−図９と組み合わせて説明された方法の実施例における一部又は全てのプロセスを実施し、本発明において図１２と組み合わせて説明された装置の実施例における一部又は全ての機能を実行することに用いられてもよく、ここで説明を省略する。
【０２０７】
セルラシステムでは、端末は異なるセルの信号品質を測定して比較し、最も良いセルを選択する必要があり、このプロセスはモビリティ管理と呼ばれる。ＬＴＥシステムでは、モビリティ管理はＣＲＳ又はＣＳＩ−ＲＳに対して完了される。検討中の５Ｇ（ＮＲ）システムでは、端末は同期信号セット（ＳＳ  ｂｌｏｃｋ）を測定することでモビリティ管理を行うことができる。５Ｇ（ＮＲ）システムのマルチビーム（Ｍｕｌｔｉ−ｂｅａｍ）システムは、異なるビーム（ｂｅａｍ）でセル全体をカバーし、即ち各ビーム（ｂｅａｍ）が一つの狭い範囲をカバーし、時間的な掃引（ｓｗｅｅｐｉｎｇ）により、複数のビーム（ｂｅａｍ）でセル全体をカバーするという効果を実現する。基地局は、異なるビーム（ｂｅａｍ）で異なるＳＳ  ｂｌｏｃｋを伝送し、ＵＥは異なるＳＳ  ｂｌｏｃｋによって異なるビーム（ｂｅａｍ）を区別することができる。
【０２０８】
ＮＲにおける一つのＳＳ  ｂｌｏｃｋは、
プライマリ同期信号（ＰＳＳ：Ｐｒｉｍａｒｙ  Ｓｙｎｃｈｒｏｎｉｚａｔｉｏｎ  Ｓｉｇｎａｌ）、
セカンダリ同期信号（ＳＳＳ：Ｓｅｃｏｎｄａｒｙ  Ｓｙｎｃｈｒｏｎｉｚａｔｉｏｎ  Ｓｉｇｎａｌ）、
物理ブロードキャストチャネル（ＰＢＣＨ：Ｐｈｙｓｉｃａｌ  Ｂｒｏａｄｃａｓｔ  Ｃｈａｎｎｅｌ）を少なくとも含むがこれらに限定されない。
【０２０９】
一つのシステムが４つのビーム（ｂｅａｍ）を含むと仮定し、各ビーム（ｂｅａｍ）で異なるＳＳ  ｂｌｏｃｋを送信し、即ちビーム（ｂｅａｍ）ｉでＳＳ  ｂｌｏｃｋ＃ｉ（ｉ＝１、２、３、４）を送信する。周期１０ｍｓ内の複数のＳＳ  ｂｌｏｃｋがＳＳ  ｂｕｒｓｔ  ｓｅｔに組み合わせられる。次の図からわかるように、同一のセルで、ＵＥは複数のＳＳ  ｂｌｏｃｋ（１０ｍｓ内）を検出する必要がある可能性がある。シングルビームシステムの場合、一つのＳＳ  ｂｌｏｃｋを検出することができる。ＳＳ  ｂｌｏｃｋ内のＰＳＳとＳＳＳは時間領域で分離され、即ち時分割多重化方式を用い、ＰＢＣＨと同期信号も時分割多重化方式を用いる。その可能な構成方式はＰＳＳ−ＳＳＳ−ＰＢＣＨであってもよいし、ＰＳＳ−ＰＢＣＨ−ＳＳＳであってもよいし、ＰＳＳ−ＳＳＳ−ＰＢＣＨ−ＳＳＳであってもよい。
【０２１０】
端末が狭帯域幅に配置されて情報を受信する場合、特に端末がＳＳ  ｂｌｏｃｋを測定することでモビリティ管理を行う必要がある場合、端末がＳＳ  ｂｌｏｃｋを測定することができる方法が必要となる。以下に、狭帯域幅でＳＳ  ｂｌｏｃｋを測定することを具体的な実施例と組み合わせて詳しく説明する。説明を容易にするために、以下に実施例ではＳＳ  ｂｌｏｃｋがダウンリンク同期信号と総称される。
【０２１１】
図１６は本発明による測定方法の第九の実施例のフローチャートである。本実施例では、前記測定方法は以下のステップを含む。
【０２１２】
Ｓ１６０１において、基地局は端末へ狭帯域幅受信モードの切り替えメッセージを送信し、指定された狭帯域幅に切り替えて情報を受信するように前記端末に指示する。
【０２１３】
ここで、前記狭帯域幅の幅がシステム帯域幅の幅より小さい。前記切り替えメッセージは前記狭帯域幅受信モードに入るように前記端末に指示する時間及び前記狭帯域幅受信モードに入る時の周波数帯域における狭帯域幅の位置を含むことができる。
【０２１４】
選択可能に、前記狭帯域幅受信モードに入る時間が前記狭帯域幅受信モードに入る開始時間を含むことができ、端末は該切り替えメッセージを受信した後、指定された開始時間に狭帯域幅受信モードに入り、基地局から送信された、狭帯域幅受信モードを停止するメッセージを受信するまでシステム帯域幅に切り替え、又は基地局から送信された、他の狭帯域幅又はシステム帯域幅に切り替えるメッセージを受信する時に、現在の狭帯域幅から他の狭帯域幅又はシステム帯域幅に切り替えることもできる。
【０２１５】
前記狭帯域幅受信モードに入る時間が前記狭帯域幅受信モードに入る時間以外、狭帯域幅受信モードに入る終了時間を含むことができ、端末は指定された開始時間に狭帯域幅受信モードに入り、指定された終了時間にシステム帯域幅に切り替えて情報を受信することができる。
【０２１６】
選択可能に、基地局は、狭帯域幅のみを受信するモードに切り替えるように上位層シグナリング例えば無線リソース制御プロトコル（ＲＲＣ：Ｒａｄｉｏ  Ｒｅｓｏｕｒｃｅ  Ｃｏｎｔｒｏｌ）、又は物理層シグナリング例えばＤＣＩによって前記端末に指示する。基地局は狭帯域幅受信モードが開始する具体的な時点、及び周波数帯域における狭帯域幅の具体的な位置を端末に示すことができる。このようにして端末は該切り替えメッセージに基づき、指定された狭帯域幅に切り替えて情報を受信することができる。狭帯域幅受信モードで、端末はそれ自身のＲＦ帯域幅を、システムが受信するように端末に指示することのみを受ける周波数帯域幅即ち指定された狭帯域幅に再調整（ｒｅｔｕｎｅ）することができる。例えば、基地局が端末の狭帯域幅が６つのＰＲＢ（１５Ｋ  Ｈｚサブ搬送波間隔を例とすると、１．４ＭＨｚである）であることを示す場合、端末はそれ自身のＲＦユニットをシステムによって示される狭帯域幅の周波数帯域位置の６つのＰＲＢに再調整する。この時、端末はこの６つのＰＲＢに位置する信号のみを受信することができる。受信ＲＦ帯域幅が減少するため、端末は節電効果を得ることができる。端末は広いシステム帯域幅で信号を検出することなく、システム帯域幅より小さい狭帯域幅で信号を受信及び信号を検出するだけでよく、端末の動作量が減少し、端末の電力消費が低減し、端末の信号受信効率が向上する。
【０２１７】
説明すべきものとして、マシンタイプ通信（ＭＴＣ：Ｍａｃｈｉｎｅ  Ｔｙｐｅ  Ｃｏｍｍｕｎｉｃａｔｉｏｎｓ）をサポートする端末の場合、１．４ＭＨｚ即ち６つのＰＲＢの帯域幅でダウンリンク信号を復調することができる。このタイプの端末に対して、ダウンリンク帯域幅が狭くなるため、端末の電力消費が節約される。しかし、このタイプの端末が狭い帯域幅例えば６つのＰＲＢみで動作することができるため、端末の機能は大きく制限される。本発明の実施例における狭帯域幅の幅がシステム帯域幅の幅より小さく、即ち本発明の実施例における狭帯域幅はシステム帯域幅より小さい周波数領域における幅である。従来の４Ｇシステムにおける１．４ＭＨｚの帯域幅の概念と異なる。例えば、従来の４Ｇシステムにおいて典型的なシステム帯域幅が１０ＭＨｚと２０ＭＨｚであり、システム帯域幅が１０ＭＨｚである場合、本発明の実施例における狭帯域幅は２ＭＨｚ、５ＭＨｚなどの１０ＭＨｚ未満の帯域幅であってもよく、システム帯域幅が２０ＭＨｚである場合、本発明の実施例における狭帯域幅は、５ＭＨｚ、１０ＭＨｚ、１２ＭＨｚなどの２０ＭＨｚ未満の帯域幅であってもよい。システム帯域幅が１．４ＭＨｚである場合、本発明の実施例における狭帯域幅は０．６ＭＨｚなどの１．４ＭＨｚ未満の帯域幅であってもよい。より大きい帯域幅の５Ｇシステムに対して、狭帯域幅は同様に５Ｇシステムにおけるシステム帯域幅より小さい帯域幅であってもよい。
【０２１８】
Ｓ１６０２において、少なくとも一つのダウンリンク同期信号を測定する必要がある場合、前記基地局は、前記少なくとも一つのダウンリンク同期信号に対応する測定狭帯域幅に切り替えて測定するように前記端末をスケジュールする。
【０２１９】
ここで、前記狭帯域幅と前記測定狭帯域幅の幅がいずれもシステム帯域幅の幅より小さい。
【０２２０】
前記狭帯域幅と前記測定狭帯域幅はそれぞれ異なる周波数帯域に位置し、一部で重なってもよく又は完全に独立してもよく、本発明で何ら限定されない。
【０２２１】
狭帯域幅受信モードにある端末に対して、基地局は、指定された時間に又は周期的にダウンリンク同期信号に対応する周波数位置即ち測定狭帯域幅に再調整してダウンリンク同期信号を測定するように端末に指示することができる。
【０２２２】
説明すべきものとして、実際のニーズに応じて、本実施例で説明される方式を用いて次のダウンリンク同期信号を測定することができ、２つのダウンリンク同期信号又は２つ以上のダウンリンク同期信号を測定することもでき、本発明の実施例は何ら限定されない。
【０２２３】
以下に２つのダウンリンク同期信号を測定することを例として説明し、３つ以上のダウンリンク同期信号の測定が類似する。
【０２２４】
図１７は本発明による測定方法の第十の実施例のフローチャートである。本実施例では、異なる周波数位置に位置する第一のダウンリンク同期信号と第二のダウンリンク同期信号を測定する必要があり、且つ第一のダウンリンク同期信号が第一の測定狭帯域幅に対応し、第二のダウンリンク同期信号が第二の測定狭帯域幅に対応する。前記方法は以下のステップを含む。
【０２２５】
Ｓ１７０１において、基地局は端末へ狭帯域幅受信モードの切り替えメッセージを送信し、指定された狭帯域幅に切り替えて情報を受信するように前記端末に指示する。
【０２２６】
Ｓ１７０２において、基地局は前記端末が前記少なくとも一つのダウンリンク同期信号を測定するための測定パラメータを配置し、前記測定パラメータを前記端末に送信する。
【０２２７】
選択可能に、前記測定パラメータは、前記端末が前記少なくとも一つのダウンリンク同期信号を測定するための周期、前記端末が前記周期内で前記第一の測定狭帯域幅で前記第一のダウンリンク同期信号を測定するための第一の期間情報、前記端末が前記周期内で前記第二の狭測定帯域幅で前記第二のダウンリンク同期信号を測定するための第二の期間情報を含む。
【０２２８】
ここで、前記周期は前記端末が前記狭帯域幅受信モードに入り、第一の測定狭帯域幅に切り替えて第一のダウンリンク同期信号を測定し、第二の測定狭帯域幅に切り替えて第二のダウンリンク同期信号を測定し、前記狭帯域幅受信モードに再び入る時間長を含む。
【０２２９】
Ｓ１７０３において、前記測定パラメータに基づき、順次に、前記第一の測定狭帯域幅に切り替えて第一のダウンリンク同期信号を測定し、前記第二の測定狭帯域幅に切り替えて第二のダウンリンク同期信号を測定するように前記端末をスケジューリングする。
【０２３０】
図１８は本発明の実施例における図１７に示す方法を用いてダウンリンク同期信号を測定する概略図である。ここで、基地局はダウンリンク同期信号を測定する周期及び周期内において各測定狭帯域幅で対応するダウンリンク同期信号を測定するための期間情報を配置することができる。例えばＴ１〜Ｔ１＋Ｌが一つの完全な周期であり、Ｔ３〜Ｔ４が第一の測定狭帯域幅で第一のダウンリンク同期信号を測定する期間であり、Ｔ５〜Ｔ６が第二の測定狭帯域幅で第二のダウンリンク同期信号を測定する期間である。Ｌが１４ｍｓであり、Ｔ３〜Ｔ４がその中の第５ｍｓ〜第６ｍｓを占有し、Ｔ５〜Ｔ６がその中の第８ｍｓ〜第１１ｍｓを占有すると仮定する場合、各周期に、基地局は、この２つの測定狭帯域幅に切り替えて対応するダウンリンク同期信号を測定するように端末をスケジュールすることができる。当然、基地局はさらに端末が狭帯域幅にある期間情報を配置することができる。例えば、図１８に示すように、基地局は、Ｔ１〜Ｔ２時間で狭帯域幅受信モードにあり、Ｔ３〜Ｔ４時間で第一の測定狭帯域幅に再調整して第一のダウンリンク同期信号を測定し、Ｔ５〜Ｔ６時間で第二の測定狭帯域幅に再調整して第二のダウンリンク同期信号を測定し、Ｔ１＋Ｌ〜Ｔ２＋Ｌ時間で狭帯域幅受信モードに戻るように端末を予め配置することができる。ここで、時間Ｔ２〜Ｔ３は端末が狭帯域幅から第一の測定狭帯域幅に再調整するために残される時間間隔であり、時間Ｔ５〜Ｔ６は端末が第一の測定狭帯域幅から第二の測定狭帯域幅に再調整するために残される時間間隔であり、Ｔ６〜Ｔ１＋Ｌは端末が第二の測定狭帯域幅から狭帯域幅に再調整するために残される時間である。Ｌが測定周期全体の長さである。ここで第一の測定狭帯域幅と第二の測定狭帯域幅がいずれもシステム帯域幅に位置する。
【０２３１】
説明すべきものとして、説明を容易にするために、本発明の実施例では２つの測定狭帯域幅で測定するという方式を用いるが、当業者であれば、測定狭帯域幅が３つ以上である場合、同様に上記方式を用いて順次に、測定することができる。
【０２３２】
本発明の実施例では、具体的な周期と異なる測定狭帯域幅で対応するダウンリンク同期信号を測定するための期間情報を配置することにより、端末は狭帯域幅モードに入る時に周期に従ってダウンリンク同期信号の測定を行うことができる。基地局のシグナリングオーバーヘッドを節約することができる。当然、別の実施形態では、基地局が上記測定パラメータを配置した後、端末は、狭帯域幅受信モードに入った後、直ちに測定パラメータに従って測定を行うことなく、基地局のトリガを待つことができる。
【０２３３】
即ちステップＳ１７０３の前に、さらに以下のステップを含むことができる。
【０２３４】
前記狭帯域幅の物理ダウンリンク制御チャネルでトリガ信号を送信する。
【０２３５】
前記トリガ信号は前記測定パラメータに基づき、順次に、前記第一の測定狭帯域幅に切り替えて第一のダウンリンク同期信号を測定し、前記第二の測定狭帯域幅に切り替えて第二のダウンリンク同期信号を測定するように前記端末をトリガすることに用いられる。
【０２３６】
選択可能に、基地局は狭帯域幅のＰＤＣＣＨでの信号、例えばＤＣＩにおけるいくつかのｂｉｔを用い、測定を開始するように端末をトリガすることができ、端末はトリガ信号を受信した後、図１８に示す方式に従って測定を開始する。
【０２３７】
測定するように端末をトリガによってスケジューリングすることにより、基地局が測定するように端末をスケジューリングする柔軟性を、向上させることができる。
【０２３８】
そして図１７−図１８に示す実施例では、前記基地局によって前記端末に配置された測定パラメータが少なくとも２つの異なる配置を含み、前記測定パラメータを前記端末に送信する時に、前記狭帯域幅の物理ダウンリンク制御チャネルで前記端末に前記測定パラメータの配置状況を示し、
現在の用いられている測定パラメータを変更する必要がある場合、前記基地局は前記狭帯域幅の物理ダウンリンク制御チャネルで、別の配置された測定パラメータを用いて測定するように前記端末に指示することができる。
【０２３９】
例えば、基地局は３つの異なる配置のパラメータを予め配置し、基地局はまず狭帯域幅のＰＤＣＣＨを用い、第一の配置のパラメータに従って測定を開始するように端末をトリガし、その後のある時点で、基地局は狭帯域幅のＰＤＣＣＨを再び用い、第二又は第三の配置のパラメータを用いて測定を開始するように端末に指示することができる。
【０２４０】
図１９は本発明による測定方法の第十一の実施例のフローチャートである。本実施例では、異なる周波数位置に位置する第一のダウンリンク同期信号と第二のダウンリンク同期信号を測定する必要があり、且つ第一のダウンリンク同期信号が第一の測定狭帯域幅に対応し、第二のダウンリンク同期信号が第二の測定狭帯域幅に対応する場合、前記基地局のスケジューリングに従って、前記ダウンリンク同期信号に対応する測定狭帯域幅に切り替えて測定し、前記方法は以下のステップを含む。
【０２４１】
Ｓ１９０１において、基地局は端末へ狭帯域幅受信モードの切り替えメッセージを送信し、指定された狭帯域幅に切り替えて情報を受信するように前記端末に指示する。
【０２４２】
Ｓ１９０２において、基地局は前記狭帯域幅の物理ダウンリンク制御チャネルで第一のダウンリンク制御情報を送信し、前記第一の測定狭帯域幅に切り替えて前記第一のダウンリンク同期信号を測定するように前記端末をスケジューリングする。
【０２４３】
ここで、前記第一のダウンリンク制御情報に、前記第一の測定狭帯域幅の帯域幅情報及び前記第一の測定狭帯域幅を測定する開始時間と終了時間が含まれる。
【０２４４】
Ｓ１９０３において、前記端末が前記第一の測定狭帯域幅を測定してから前記狭帯域幅に切り替えた場合、前記基地局は、前記狭帯域幅の物理ダウンリンク制御チャネルで第二のダウンリンク制御情報を送信し、前記第二の測定狭帯域幅に切り替えて前記第二のダウンリンク同期信号を測定するように前記端末をスケジューリングする。
【０２４５】
ここで、前記第二のダウンリンク制御情報に、前記第二の測定狭帯域幅の帯域幅情報及び前記第二の測定狭帯域幅を測定する開始時間と終了時間が含まれる。
【０２４６】
選択可能に、ＤＣＩにおける帯域幅情報に占有されたスペースを減少するために、前記基地局は前記第一の測定狭帯域幅の帯域幅情報と前記第二の測定狭帯域幅の帯域幅情報とに、対応する測定狭帯域幅インデックスを配置することができ、前記測定狭帯域幅インデックスが、前記端末の切り替え先の測定狭帯域幅の帯域幅情報を示すことに用いられる。基地局は測定する必要がある、異なる周波数位置即ち帯域幅上のダウンリンク同期信号を異なるインデックスに予め対応させることができ、ここで異なる周波数位置に位置するダウンリンク同期信号が異なる周波数位置にある同一のセルのダウンリンク同期信号であってもよいし、異なる周波数位置にある異なるセルのダウンリンク同期信号であってもよく、異なる周波数位置が異なる測定狭帯域幅インデックス（ｉｎｄｅｘ）に対応し、基地局によって上位層シグナリング例えばＲＲＣシグナリングを介して端末に予め配置されてもよく、又は基地局と端末に直接予め記憶されてもよい。
【０２４７】
具体的なプロセスについて図２０を参照することができ、図２０は本発明の実施例における図１９に示す方法を用いてダウンリンク同期信号を測定する概略図である。
【０２４８】
基地局は、狭帯域幅受信モードにある端末を狭帯域幅のＰＤＣＣＨでスケジューリングし、異なる測定狭帯域幅に再調整（ｒｅｔｕｎｅ）して対応するダウンリンク同期信号を測定する。例えば、基地局は、端末が測定する測定狭帯域幅のインデックス及び測定の開始時間及び終了時間を、狭帯域幅のＰＤＣＣＨで伝送されるＤＣＩによって示すことができる。狭帯域幅受信モードにある基地局は、対応するスケジューリング情報を受信した後、対応する測定狭帯域幅に再調整（ｒｅｔｕｎｅ）して対応するダウンリンク同期信号を測定し、そして測定が終了した後に狭帯域幅受信モードに再調整する。図２０に示すように、端末はＴ１〜Ｔ２時点で基地局のスケジューリング指示を受信し、時間Ｔ３〜Ｔ４で第一の測定狭帯域幅に対する第一のダウンリンク同期信号を測定する。Ｔ２〜Ｔ３は端末が狭帯域幅から第一の測定狭帯域幅に再調整する時間である。第一の測定狭帯域幅に対する測定が終了した後、端末はＴ５〜Ｔ６時点で基地局のスケジューリング指示を受信し、端末はＴ７〜Ｔ８時点で第二の測定狭帯域幅に対する第二のダウンリンク同期信号を測定する。Ｔ６〜Ｔ７は端末が狭帯域幅から第二にの測定狭帯域幅に再調整する時間である。
【０２４９】
本実施例では、基地局は異なる測定狭帯域幅で測定するように端末を単一のトリガによってスケジュールし、これにより、測定の柔軟性を向上させることができ、基地局が現在のニーズに応じて柔軟に配置することに有利である。
【０２５０】
選択可能に、測定が完了された後、基地局は前記端末へ測定停止メッセージを送信し、ダウンリンク同期信号の測定を停止するように前記端末に指示することができる。
【０２５１】
そして基地局はさらに狭帯域幅のＰＤＣＣＨにおけるＤＣＩにより、ダウンリンク同期信号の測定を停止するように端末をトリガすることができる。基地局が端末から報告されたダウンリンク同期信号の測定結果を取得した後、基地局は端末によるダウンリンク同期信号の測定を一時的に停止することができる。基地局はその後のある時点で、ダウンリンク同期信号の測定を開始するように端末を再度トリガすることもできる。
【０２５２】
図２１は本発明による測定方法の第十二の実施例のフローチャートである。本実施例では、前記測定方法は以下を含む。
【０２５３】
Ｓ２１０１において、端末は基地局から送信された狭帯域幅受信モードの切り替えメッセージを受信し、指定された狭帯域幅に切り替えて情報を受信する。
【０２５４】
Ｓ２１０２において、少なくとも一つのダウンリンク同期信号を測定する必要がある場合、前記基地局のスケジューリングに従って、前記少なくとも一つのダウンリンク同期信号に対応する測定狭帯域幅に切り替えて測定する。
【０２５５】
ここで、前記狭帯域幅と前記測定狭帯域幅の幅がいずれもシステム帯域幅の幅より小さい。
【０２５６】
図２１は端末側の実施例の説明であり、その具体的なプロセスについて図１６に示す基地局側の実施例の説明を参照することができ、ここで説明を省略する。
【０２５７】
図２２は本発明による測定方法の第十三の実施例のフローチャートである。本実施例では、異なる周波数位置に位置する第一のダウンリンク同期信号と第二のダウンリンク同期信号を測定する必要があり、且つ第一のダウンリンク同期信号が第一の測定狭帯域幅に対応し、第二のダウンリンク同期信号が第二の測定狭帯域幅に対応する場合、前記基地局のスケジューリングに従って、前記ダウンリンク同期信号に対応する測定狭帯域幅に切り替えて測定し、前記測定方法は以下を含む。
【０２５８】
Ｓ２２０１において、端末は基地局から送信された狭帯域幅受信モードの切り替えメッセージを受信し、指定された狭帯域幅に切り替えて情報を受信する。
【０２５９】
Ｓ２２０２において、前記基地局によって配置された、前記端末が前記少なくとも一つのダウンリンク同期信号を測定するための測定パラメータを受信する。
【０２６０】
前記測定パラメータが、前記端末が前記少なくとも一つのダウンリンク同期信号を測定するための周期、前記端末が前記周期内で前記第一の測定狭帯域幅で前記第一のダウンリンク同期信号を測定するための第一の期間情報、前記端末が前記周期内で前記第二の測定狭帯域幅で前記第二のダウンリンク同期信号を測定するための第二の期間情報を含み、前記測定パラメータを前記端末に送信し、ここで、前記周期が、前記端末が前記狭帯域幅受信モードに入り、第一の測定狭帯域幅に切り替えて第一のダウンリンク同期信号を測定し、第二の測定狭帯域幅に切り替えて第二のダウンリンク同期信号を測定し、前記狭帯域幅受信モードに再び入る時間長を含む。
【０２６１】
Ｓ２２０３において、前記測定パラメータに基づき、順次に、前記第一の測定狭帯域幅に切り替えて第一のダウンリンク同期信号を測定し、前記第二の測定狭帯域幅に切り替えて第二のダウンリンク同期信号を測定する。
【０２６２】
選択可能に、前記測定パラメータに基づき、順次に、前記第一の測定狭帯域幅に切り替えて第一のダウンリンク同期信号を測定し、前記第二の測定狭帯域幅に切り替えて第二のダウンリンク同期信号を測定する前に、さらに、
前記基地局によって前記狭帯域幅の物理ダウンリンク制御チャネルで送信されたトリガ信号を受信し、前記トリガ信号が、前記測定パラメータに基づいて順次に、前記第一の測定狭帯域幅に切り替えて第一のダウンリンク同期信号を測定し、前記第二の測定狭帯域幅に切り替えて第二のダウンリンク同期信号を測定するように前記端末をトリガすることに用いられることを含む。
【０２６３】
選択可能に、前記基地局によって前記端末に配置された測定パラメータが少なくとも２つの異なる配置を含み、前記測定パラメータを受信する時に、前記狭帯域幅の物理ダウンリンク制御チャネルの指示により前記測定パラメータの配置状況を確定し、
前記基地局が現在の用いられている測定パラメータを変更する必要がある場合、前記基地局によって前記狭帯域幅の物理ダウンリンク制御チャネルで送信された、別の配置された測定パラメータを用いて測定するように前記端末に指示するための情報を受信する。
【０２６４】
図２２は端末側の実施例の説明であり、その具体的なプロセスについて図１７−図１８に示す基地局側の実施例の説明を参照することができ、ここで説明を省略する。
【０２６５】
図２３は本発明による測定方法の第十四の実施例のフローチャートである。異なる周波数位置に位置する第一のダウンリンク同期信号と第二のダウンリンク同期信号を測定する必要があり、且つ第一のダウンリンク同期信号が第一の測定狭帯域幅に対応し、第二のダウンリンク同期信号が第二の測定狭帯域幅に対応する場合、前記基地局のスケジューリングに従って、前記ダウンリンク同期信号に対応する測定狭帯域幅に切り替えて測定し、本実施例では、前記測定方法は以下を含む。
【０２６６】
Ｓ２３０１において、端末は基地局から送信された狭帯域幅受信モードの切り替えメッセージを受信し、指定された狭帯域幅に切り替えて情報を受信する。
【０２６７】
Ｓ２３０２において、前記基地局によって前記狭帯域幅の物理ダウンリンク制御チャネルで送信された第一のダウンリンク制御情報を受信し、前記第一の測定狭帯域幅に切り替えて第一のダウンリンク同期信号を測定する。
【０２６８】
前記第一のダウンリンク制御情報に、前記第一の測定狭帯域幅の帯域幅情報及び前記第一の測定狭帯域幅を測定する開始時間と終了時間が含まれる。
【０２６９】
Ｓ２３０３において、前記第一の測定狭帯域幅を測定してから前記狭帯域幅に切り替え、前記基地局によって前記狭帯域幅の物理ダウンリンク制御チャネルで送信された第二のダウンリンク制御情報を受信し、前記第二の測定狭帯域幅に切り替えて第二のダウンリンク同期信号を測定する。
【０２７０】
前記第二のダウンリンク制御情報に、前記第二の測定狭帯域幅の帯域幅情報及び前記第二の測定狭帯域幅を測定する開始時間と終了時間が含まれる。
【０２７１】
選択可能に、さらに、
前記基地局によって前記第一の測定狭帯域幅の帯域幅情報と前記第二の測定狭帯域幅の帯域幅情報とに配置された対応する測定狭帯域幅インデックスを受信し、前記測定狭帯域幅インデックスが、前記端末の切り替え先の測定狭帯域幅の帯域幅情報を示すことに用いられることを含むことができる。
【０２７２】
図２３は端末側の実施例の説明であり、その具体的なプロセスについて図１９−図２０に示す基地局側の実施例の説明を参照することができ、ここで説明を省略する。
【０２７３】
図２４は本発明に係る基地局の第三の実施例の構成図である。本実施例では、前記基地局は以下を備える。
【０２７４】
送信ユニット５００は、端末へ狭帯域幅受信モードの切り替えメッセージを送信し、指定された狭帯域幅に切り替えて情報を受信するように前記端末に指示するように構成される。
【０２７５】
スケジューリングユニット６００は、少なくとも一つのダウンリンク同期信号を測定する必要がある場合、前記基地局が前記少なくとも一つのダウンリンク同期信号に対応する測定狭帯域幅に切り替えて測定するように前記端末をスケジュールするように構成される。
【０２７６】
ここで、前記狭帯域幅と前記測定狭帯域幅の幅がいずれもシステム帯域幅の幅より小さい。
【０２７７】
選択可能に、異なる周波数位置に位置する第一のダウンリンク同期信号と第二のダウンリンク同期信号を測定する必要があり、且つ第一のダウンリンク同期信号が第一の測定狭帯域幅に対応し、第二のダウンリンク同期信号が第二の測定狭帯域幅に対応する場合、前記スケジューリングユニット６００は具体的に、
前記端末が前記少なくとも一つのダウンリンク同期信号を測定するための測定パラメータを配置し、前記測定パラメータを前記端末に送信し、前記測定パラメータが、前記端末が前記少なくとも一つのダウンリンク同期信号を測定するための周期、前記端末が前記周期内で前記第一の測定狭帯域幅で前記第一のダウンリンク同期信号を測定するための第一の期間情報、前記端末が前記周期内で前記第二の測定狭帯域幅で前記第二のダウンリンク同期信号を測定するための第二の期間情報を含み、ここで、前記周期が、前記端末が前記狭帯域幅受信モードに入り、第一の測定狭帯域幅に切り替えて第一のダウンリンク同期信号を測定し、第二の測定狭帯域幅に切り替えて第二のダウンリンク同期信号を測定し、前記狭帯域幅受信モードに再び入る時間長を含み、
前記測定パラメータに基づき、順次に、前記第一の測定狭帯域幅に切り替えて第一のダウンリンク同期信号を測定し、前記第二の測定狭帯域幅に切り替えて第二のダウンリンク同期信号を測定するように前記端末をスケジューリングするように構成される。
【０２７８】
選択可能に、前記測定パラメータに基づき、順次に、前記第一の測定狭帯域幅に切り替えて前記第一のダウンリンク同期信号を測定し、前記第二の測定狭帯域幅に切り替えて第二のダウンリンク同期信号を測定するように前記端末をスケジューリングする前に、前記送信ユニット５００はさらに前記狭帯域幅の物理ダウンリンク制御チャネルでトリガ信号を送信するように構成され、前記トリガ信号が、前記測定パラメータに基づいて順次に、前記第一の測定狭帯域幅に切り替えて第一のダウンリンク同期信号を測定し、前記第二の測定狭帯域幅に切り替えて第二のダウンリンク同期信号を測定するように前記端末をトリガすることに用いられる。
【０２７９】
選択可能に、前記基地局によって前記端末に配置された測定パラメータが少なくとも２つの異なる配置を含み、前記送信ユニット５００が前記測定パラメータを前記端末に送信する時に、前記スケジューリングユニット６００はさらに前記狭帯域幅の物理ダウンリンク制御チャネルで前記端末に前記測定パラメータの配置状況を示すように構成され、
現在の用いられている測定パラメータを変更する必要がある場合、前記スケジューリングユニット６００はさらに前記狭帯域幅の物理ダウンリンク制御チャネルで、別の配置された測定パラメータを用いて測定するように前記端末に指示するように構成される。
【０２８０】
選択可能に、異なる周波数位置に位置する第一のダウンリンク同期信号と第二のダウンリンク同期信号を測定する必要があり、且つ第一のダウンリンク同期信号が第一の測定狭帯域幅に対応し、第二のダウンリンク同期信号が第二の測定狭帯域幅に対応する場合、前記スケジューリングユニット６００は具体的に、
前記狭帯域幅の物理ダウンリンク制御チャネルで第一のダウンリンク制御情報を送信し、前記第一のダウンリンク制御情報に、前記第一の測定狭帯域幅の帯域幅情報及び前記第一の測定狭帯域幅を測定する開始時間と終了時間が含まれ、前記第一の測定狭帯域幅に切り替えて前記第一のダウンリンク同期信号を測定するように前記端末をスケジューリングし、
前記端末が前記第一の測定狭帯域幅を測定してから前記狭帯域幅に切り替えた場合、前記狭帯域幅の物理ダウンリンク制御チャネルで第二のダウンリンク制御情報を送信し、前記第二のダウンリンク制御情報に、前記第二の測定狭帯域幅の帯域幅情報及び前記第二の測定狭帯域幅を測定する開始時間と終了時間が含まれ、前記第二の測定狭帯域幅に切り替えて前記第二のダウンリンク同期信号を測定するように前記端末をスケジューリングするように構成される。
【０２８１】
選択可能に、前記スケジューリングユニット６００は、さらに前記第一の測定狭帯域幅の帯域幅情報と前記第二の測定狭帯域幅の帯域幅情報とに、対応する測定狭帯域幅インデックスを配置するように構成され、前記測定狭帯域幅インデックスが、前記端末の切り替え先の測定狭帯域幅の帯域幅情報を示すことに用いられる。
【０２８２】
図２５は本発明に係る基地局の第四の実施例の構成図である。本実施例では、前記基地局は、
プロセッサ３１０、メモリ３２０、送受信機３３０とバス３４０を備え、前記プロセッサ３１０、メモリ３２０と送受信機３３０がバス３４０を介して接続され、ここで、前記送受信機３３０が信号を送受信し、端末と通信するように構成され、前記メモリ３２０が１組のプログラムコードを記憶するように構成され、前記プロセッサ３１０が前記メモリ３２０に記憶されたプログラムコードを呼び出し、下記の操作を実行するように構成される：
前記送受信機３３０を介して端末へ狭帯域幅受信モードの切り替えメッセージを送信し、指定された狭帯域幅に切り替えて情報を受信するように端末に指示し、
少なくとも一つのダウンリンク同期信号を測定する必要がある場合、前記基地局が前記少なくとも一つのダウンリンク同期信号に対応する測定狭帯域幅に切り替えて測定するように前記端末をスケジュールし、
ここで、前記狭帯域幅と前記測定狭帯域幅の幅がいずれもシステム帯域幅の幅より小さい。
【０２８３】
選択可能に、異なる周波数位置に位置する第一のダウンリンク同期信号と第二のダウンリンク同期信号を測定する必要があり、且つ第一のダウンリンク同期信号が第一の測定狭帯域幅に対応し、第二のダウンリンク同期信号が第二の測定狭帯域幅に対応する場合、前記プロセッサ３１０は具体的に、
前記端末が前記少なくとも一つのダウンリンク同期信号を測定するための測定パラメータを配置し、前記測定パラメータを前記端末に送信し、前記測定パラメータが、前記端末が前記少なくとも一つのダウンリンク同期信号を測定するための周期、前記端末が前記周期内で前記第一の測定狭帯域幅で前記第一のダウンリンク同期信号を測定するための第一の期間情報、前記端末が前記周期内で前記第二の測定狭帯域幅で前記第二のダウンリンク同期信号を測定するための第二の期間情報を含み、ここで、前記周期が、前記端末が前記狭帯域幅受信モードに入り、第一の測定狭帯域幅に切り替えて第一のダウンリンク同期信号を測定し、第二の測定狭帯域幅に切り替えて第二のダウンリンク同期信号を測定し、前記狭帯域幅受信モードに再び入る時間長を含み、
前記測定パラメータに基づき、順次に、前記第一の測定狭帯域幅に切り替えて第一のダウンリンク同期信号を測定し、前記第二の測定狭帯域幅に切り替えて第二のダウンリンク同期信号を測定するように前記端末をスケジューリングするように構成される。
【０２８４】
選択可能に、前記測定パラメータに基づき、順次に、前記第一の測定狭帯域幅に切り替えて第一のダウンリンク同期信号を測定し、前記第二の測定狭帯域幅に切り替えて第二のダウンリンク同期信号を測定するように前記端末をスケジューリングする前に、前記プロセッサ３１０はさらに、
前記狭帯域幅の物理ダウンリンク制御チャネルでトリガ信号を送信するように構成され、前記トリガ信号が、前記測定パラメータに基づいて順次に、前記第一の測定狭帯域幅に切り替えて第一のダウンリンク同期信号を測定し、前記第二の測定狭帯域幅に切り替えて第二のダウンリンク同期信号を測定するように前記端末をトリガすることに用いられる。
【０２８５】
選択可能に、前記基地局によって前記端末に配置された測定パラメータが少なくとも２つの異なる配置を含み、前記プロセッサ３１０はさらに前記測定パラメータを前記端末に送信する時に、前記狭帯域幅の物理ダウンリンク制御チャネルで前記端末に前記測定パラメータの配置状況を示すように構成され、
現在の用いられている測定パラメータを変更する必要がある場合、前記プロセッサ３１０はさらに前記狭帯域幅の物理ダウンリンク制御チャネルで、別の配置された測定パラメータを用いて測定するように前記端末に指示するように構成される。
【０２８６】
選択可能に、異なる周波数位置に位置する第一のダウンリンク同期信号と第二のダウンリンク同期信号を測定する必要があり、且つ第一のダウンリンク同期信号が第一の測定狭帯域幅に対応し、第二のダウンリンク同期信号が第二の測定狭帯域幅に対応する場合、前記プロセッサ３１０は具体的に、
前記狭帯域幅の物理ダウンリンク制御チャネルで第一のダウンリンク制御情報を送信し、前記第一のダウンリンク制御情報に、前記第一の測定狭帯域幅の帯域幅情報及び前記第一の測定狭帯域幅を測定する開始時間と終了時間が含まれ、前記第一の測定狭帯域幅に切り替えて前記第一のダウンリンク同期信号を測定するように前記端末をスケジューリングし、
前記端末が前記第一の測定狭帯域幅を測定してから前記狭帯域幅に切り替えた場合、前記狭帯域幅の物理ダウンリンク制御チャネルで第二のダウンリンク制御情報を送信し、前記第二のダウンリンク制御情報に、前記第二の測定狭帯域幅の帯域幅情報及び前記第二の測定狭帯域幅を測定する開始時間と終了時間が含まれ、前記第二の測定狭帯域幅に切り替えて前記第二のダウンリンク同期信号を測定するように前記端末をスケジューリングするように構成される。
【０２８７】
選択可能に、前記プロセッサ３１０は、さらに前記第一の測定狭帯域幅の帯域幅情報と前記第二の測定狭帯域幅の帯域幅情報とに、対応する測定狭帯域幅インデックスを配置するように構成され、前記測定狭帯域幅インデックスが、前記端末の切り替え先の測定狭帯域幅の帯域幅情報を示すことに用いられる。
【０２８８】
図２６は本発明に係る端末の第三の実施例の構成図である。本実施例では、前記端末は以下を備える。
【０２８９】
受信ユニット７００は、基地局から送信された狭帯域幅受信モードの切り替えメッセージを受信するように構成される。
【０２９０】
切り替えユニット８００は、前記切り替えメッセージに基づき、指定された狭帯域幅に切り替えて情報を受信するように構成される。
【０２９１】
前記切り替えユニット８００はさらに少なくとも一つのダウンリンク同期信号を測定する必要がある場合、前記基地局のスケジューリングに従って、前記少なくとも一つのダウンリンク同期信号に対応する測定狭帯域幅に切り替えて測定するように構成される。
【０２９２】
ここで、前記狭帯域幅と前記測定狭帯域幅の幅がいずれもシステム帯域幅の幅より小さい。
【０２９３】
選択可能に、異なる周波数位置に位置する第一のダウンリンク同期信号と第二のダウンリンク同期信号を測定する必要があり、且つ第一のダウンリンク同期信号が第一の測定狭帯域幅に対応し、第二のダウンリンク同期信号が第二の測定狭帯域幅に対応する場合、前記受信ユニット７００は具体的に、
前記基地局によって配置された、前記端末が前記少なくとも一つのダウンリンク同期信号を測定するための測定パラメータを受信し、前記測定パラメータが、前記端末が前記少なくとも一つのダウンリンク同期信号を測定するための周期、前記端末が前記周期内で前記第一の測定狭帯域幅で前記第一のダウンリンク同期信号を測定するための第一の期間情報、前記端末が前記周期内で前記第二の測定狭帯域幅で前記第二のダウンリンク同期信号を測定するための第二の期間情報を含み、前記測定パラメータを前記端末に送信するように構成され、ここで、前記周期が、前記端末が前記狭帯域幅受信モードに入り、第一の測定狭帯域幅に切り替えて第一のダウンリンク同期信号を測定し、第二の測定狭帯域幅に切り替えて第二のダウンリンク同期信号を測定し、前記狭帯域幅受信モードに再び入る時間長を含み、
前記切り替えユニット８００は具体的に、
前記測定パラメータに基づき、順次に、前記第一の測定狭帯域幅に切り替えて第一のダウンリンク同期信号を測定し、前記第二の測定狭帯域幅に切り替えて第二のダウンリンク同期信号を測定するように構成される。
【０２９４】
選択可能に、前記切り替えユニット８００が前記測定パラメータに基づき、順次に、前記第一の測定狭帯域幅に切り替えて第一のダウンリンク同期信号を測定し、前記第二の測定狭帯域幅に順次に、切り替えて第二のダウンリンク同期信号を測定する前に、前記受信ユニット７００はさらに、
前記基地局によって前記狭帯域幅の物理ダウンリンク制御チャネルで送信されたトリガ信号を受信するように構成され、前記トリガ信号が、前記測定パラメータに基づいて順次に、前記第一の測定狭帯域幅に切り替えて第一のダウンリンク同期信号を測定し、前記第二の測定狭帯域幅に切り替えて第二のダウンリンク同期信号を測定するように前記端末をトリガすることに用いられる。
【０２９５】
選択可能に、前記基地局によって前記端末に配置された測定パラメータが少なくとも２つの異なる配置を含み、前記測定パラメータを受信する時に、前記受信ユニット７００はさらに前記狭帯域幅の物理ダウンリンク制御チャネルの指示により前記測定パラメータの配置状況を確定するように構成され、
前記基地局が現在の用いられている測定パラメータを変更する必要がある場合、前記受信ユニット７００はさらに前記基地局によって前記狭帯域幅の物理ダウンリンク制御チャネルで送信された、別の配置された測定パラメータを用いて測定するように前記端末に指示するための情報を受信するように構成される。
【０２９６】
選択可能に、異なる周波数位置に位置する第一のダウンリンク同期信号と第二のダウンリンク同期信号を測定する必要があり、且つ第一のダウンリンク同期信号が第一の測定狭帯域幅に対応し、第二のダウンリンク同期信号が第二の測定狭帯域幅に対応する場合、前記受信ユニット７００は具体的に、
前記基地局によって前記狭帯域幅の物理ダウンリンク制御チャネルで送信された第一のダウンリンク制御情報を受信するように構成され、前記第一のダウンリンク制御情報に、前記第一の測定狭帯域幅の帯域幅情報及び前記第一の測定狭帯域幅を測定する開始時間と終了時間が含まれ、
前記切り替えユニット８００は具体的に前記第一の測定狭帯域幅に切り替えて第一のダウンリンク同期信号を測定するように構成され、
前記第一の測定狭帯域幅を測定してから前記狭帯域幅に切り替えた場合、前記受信ユニット７００はさらに、前記基地局によって前記狭帯域幅の物理ダウンリンク制御チャネルで送信された第二のダウンリンク制御情報を受信するように構成され、前記第二のダウンリンク制御情報に、前記第二の測定狭帯域幅の帯域幅情報及び前記第二の測定狭帯域幅を測定する開始時間と終了時間が含まれ、前記切り替えユニット８００はさらに前記第二の測定狭帯域幅に切り替えて第二のダウンリンク同期信号を測定するように構成される。
【０２９７】
選択可能に、前記受信ユニット７００はさらに前記基地局によって前記第一の測定狭帯域幅の帯域幅情報と前記第二の測定狭帯域幅の帯域幅情報とに配置された対応する測定狭帯域幅インデックスを受信するように構成され、前記測定狭帯域幅インデックスが、前記端末の切り替え先の測定狭帯域幅の帯域幅情報を示すことに用いられる。
【０２９８】
図２７は本発明に係る端末の第四の実施例の構成図である。本実施例では、前記端末は、
プロセッサ４１０、メモリ４２０、送信機４３０、受信機４４０とバス４５０を備え、前記プロセッサ４１０、メモリ４２０、送信機４３０と受信機４４０がバス４５０を介して接続され、ここで、前記送信機４３０が信号を送信するように構成され、前記受信機４４０が信号を受信するように構成され、前記送信機４３０と前記受信機４４０がそれぞれ独立して設置され又は集成して設置され、前記メモリ４２０が１組のプログラムコードを記憶するように構成され、前記プロセッサ４１０が前記メモリ４２０に記憶されたプログラムコードを呼び出し、下記の操作を実行するように構成される：
前記受信機４４０を介して基地局から送信された狭帯域幅受信モードの切り替えメッセージを受信し、
前記切り替えメッセージに基づき、指定された狭帯域幅に切り替え、
少なくとも一つのダウンリンク同期信号を測定する必要がある場合、前記基地局のスケジューリングに従って、前記少なくとも一つのダウンリンク同期信号に対応する測定狭帯域幅に切り替えて測定し、
ここで、前記狭帯域幅と前記測定狭帯域幅の幅がいずれもシステム帯域幅の幅より小さい。
【０２９９】
選択可能に、異なる周波数位置に位置する第一のダウンリンク同期信号と第二のダウンリンク同期信号を測定する必要があり、且つ第一のダウンリンク同期信号が第一の測定狭帯域幅に対応し、第二のダウンリンク同期信号が第二の測定狭帯域幅に対応する場合、前記プロセッサ４１０は、具体的に前記受信機４４０を介し、前記基地局によって配置された、前記端末が前記少なくとも一つのダウンリンク同期信号を測定するための測定パラメータを受信し、前記測定パラメータが、前記端末が前記少なくとも一つのダウンリンク同期信号を測定するための周期、前記端末が前記周期内で前記第一の測定狭帯域幅で前記第一のダウンリンク同期信号を測定するための第一の期間情報、前記端末が前記周期内で前記第二の測定狭帯域幅で前記第二のダウンリンク同期信号を測定するための第二の期間情報を含み、前記測定パラメータを前記端末に送信し、ここで、前記周期が、前記端末が前記狭帯域幅受信モードに入り、第一の測定狭帯域幅に切り替えて第一のダウンリンク同期信号を測定し、第二の測定狭帯域幅に切り替えて第二のダウンリンク同期信号を測定し、前記狭帯域幅受信モードに再び入る時間長を含み、
前記測定パラメータに基づき、順次に、前記第一の測定狭帯域幅に切り替えて第一のダウンリンク同期信号を測定し、前記第二の測定狭帯域幅に切り替えて第二のダウンリンク同期信号を測定するように構成される。
【０３００】
選択可能に、前記プロセッサ４１０はさらに前記測定パラメータに基づいて順次に、前記第一の測定狭帯域幅に切り替えて前記第一のダウンリンク同期信号を測定し、前記第二の測定狭帯域幅に切り替えて第二のダウンリンク同期信号を測定する前に、前記受信機４４０を介し、前記基地局によって前記狭帯域幅の物理ダウンリンク制御チャネルで送信されたトリガ信号を受信するように構成され、前記トリガ信号が、前記測定パラメータに基づいて順次に、前記第一の測定狭帯域幅に切り替えて第一のダウンリンク同期信号を測定し、前記第二の測定狭帯域幅に切り替えて第二のダウンリンク同期信号を測定するように前記端末をトリガすることに用いられる。
【０３０１】
選択可能に、前記基地局によって前記端末に配置された測定パラメータが少なくとも２つの異なる配置を含み、前記測定パラメータを受信する時に、前記プロセッサ４１０はさらに前記狭帯域幅の物理ダウンリンク制御チャネルの指示により前記測定パラメータの配置状況を確定し、
前記基地局が現在の用いられている測定パラメータを変更する必要がある場合、前記受信機４４０を介し、前記基地局によって前記狭帯域幅の物理ダウンリンク制御チャネルで送信された、別の配置された測定パラメータを用いて測定するように前記端末に指示するための情報を受信するように構成される。
【０３０２】
選択可能に、異なる周波数位置に位置する第一のダウンリンク同期信号と第二のダウンリンク同期信号を測定する必要があり、且つ第一のダウンリンク同期信号が第一の測定狭帯域幅に対応し、第二のダウンリンク同期信号が第二の測定狭帯域幅に対応する場合、前記プロセッサ４１０は具体的に、
前記受信機４４０を介し、前記基地局によって前記狭帯域幅の物理ダウンリンク制御チャネルで送信された第一のダウンリンク制御情報を受信し、前記第一のダウンリンク制御情報に、前記第一の測定狭帯域幅の帯域幅情報及び前記第一の測定狭帯域幅を測定する開始時間と終了時間が含まれ、前記第一の測定狭帯域幅に切り替えて第一のダウンリンク同期信号を測定し、
前記第一の測定狭帯域幅を測定してから前記狭帯域幅に切り替えた場合、前記受信機４４０を介し、前記基地局によって前記狭帯域幅の物理ダウンリンク制御チャネルで送信された第二のダウンリンク制御情報を受信し、前記第二のダウンリンク制御情報に、前記第二の測定狭帯域幅の帯域幅情報及び前記第二の測定狭帯域幅を測定する開始時間と終了時間が含まれ、前記第二の測定狭帯域幅に切り替えて第二のダウンリンク同期信号を測定するように構成される。
【０３０３】
選択可能に、前記プロセッサ４１０はさらに前記基地局によって前記第一の測定狭帯域幅の帯域幅情報と前記第二の測定狭帯域幅の帯域幅情報とに配置された対応する測定狭帯域幅インデックスを受信するように構成され、前記測定狭帯域幅インデックスが、前記端末の切り替え先の測定狭帯域幅の帯域幅情報を示すことに用いられる。
【０３０４】
一つ又は複数の例では、説明される機能は、ハードウェア、ソフトウェア、ファームウェア又はそれらの任意の組合せで実施されてもよい。ソフトウェアで実施される場合、機能は、１つ又は複数の命令又はコードとしてコンピュータ可読媒体に記憶され又はコンピュータ可読媒体を介して送信され、そしてハードウェアに基づく処理ユニットによって実行されてもよい。コンピュータ可読媒体はコンピュータ可読記憶媒体（それが例えばデータ記憶媒体などの有形媒体に対応する）又は通信媒体を含むことができ、通信媒体が通信プロトコルに従ってある場所から別の場所へのコンピュータプログラムの伝送を促進するいずれかの媒体を含む。このようにしてコンピュータ可読媒体はほぼ（１）非一時的有形コンピュータ可読記憶媒体、又は（２）信号又は搬送波などの通信媒体に対応することができる。データ記憶媒体は、本明細書で説明される技術を実施するために命令、コード及び／又はデータ構造を検索するように一つ又は複数のコンピュータ又は一つ又は複数のプロセッサによってアクセスされてもよい任意の利用可能媒体であってもよい。コンピュータプログラム製品はコンピュータ可読媒体を含むことができる。
【０３０５】
限定ではなく例として、いくつかのコンピュータ可読記憶媒体は、ＲＡＭ、ＲＯＭ、ＥＥＰＲＯＭ、ＣＤ−ＲＯＭ又は他の光ディスク記憶装置、磁気ディスクメモリ又は他の磁気記憶装置、又はフラッシュメモリ、又は命令又はデータ構造の形態のプログラムを記憶することに用いられてもよく且つコンピュータによってアクセスされてもよい任意の他の媒体を含むことができる。そして、いかなる接続は適切にコンピュータ可読記憶媒体と呼ばれてもよい。例えば、同軸ケーブル、光ケーブル、ツイストペア、デジタル加入者線（ＤＳＬ）又は無線技術（例えば、赤外線、ラジオ及びマイクロ波）を使用してＷｅｂサイト、サーバ又は他のリモートソースから命令を送信する場合、同軸ケーブル、光ケーブル、ツイストペア、ＤＳＬ又は無線技術（例えば赤外線、ラジオ及びマイクロ波）に媒体の定義に含まれる。しかしながら、理解すべきものとして、コンピュータ可読記憶媒体及びデータ記憶媒体は、接続、搬送波、信号又は他の一時的媒体を含めなく、非一時的且つ有形の記憶媒体に関連する。本明細書で使用する場合、磁気ディスク及び光ディスクは、コンパクトディスク（ＣＤ）、レーザディスク、光ディスク、デジタルビデオディスク（ＤＶＤ）、フレキシブルディスク及びブルーレイディスクを含み、ここで磁気ディスクが通常データを磁気的にコピーするが、光ディスクがレーザを介してデータを光学的にコピーする。以上の各ものの組み合わせはさらにコンピュータ可読媒体の範囲内に含まれるべきである。
【０３０６】
例えば一つ又は複数のデジタル信号プロセッサ（ＤＳＰ）、汎用マイクロプロセッサ、特定用途向け集積回路（ＡＳＩＣ）、フィールドプログラマブルロジックアレイ（ＦＰＧＡ）又は他の同等の集積又は離散論理回路などの一つ又は複数のプロセッサで命令を実行することができる。したがって、本明細書で使用される用語「プロセッサ」は、上記構造又は本明細書に記載される技術の実施に適する任意の他の構造のいずれか一つを指すことができる。また、いくつかの態様では、本明細書で説明される機能を符号化及び復号化のために構成された専用ハードウェア及び／又はソフトウェアモジュールに提供し、又は組み合わせ式コーデックに組み込むことができる。そして、前記技術は完全に一つ又は複数の回路又は論理素子に実施されてもよい。
【０３０７】
本発明の技術は、複数の装置又は機器によって広く実施されてもよく、前記装置又は機器が無線送受話器、集積回路（ＩＣ）又はＩＣセット（例えばチップセット）を含む。本発明では、開示された技術を実行するように構成される装置の機能を強化するように様々な部材、モジュール又はユニットを説明する態様において、異なるハードウェアユニットによって実施されることが必ずしも要求されない。具体的には、上述しように、様々なユニットは、コーデックハーウェアユニットに組み合わせられてもよく、又は相互運用可能なハードウェアユニット（上述した一つ又は複数のプロセッサ）のセットと適切なソフトウェア及び／又はファームウェアの組み合わせで提供される。
【０３０８】
理解すべきものとして、明細書全体にわたって言及する「一つの実施例」又は「一実施例」は、実施例と関連する特定特徴、構造又は特性が本発明の少なくとも一つの実施例に含まれることを意味する。したがって、本明細書を通して使用される「一つの実施例において」又は「一実施例で」は、必ずしも同じ実施例を意味するわけではない。また、これらの特定の特徴、構造又は特性は一つ又は複数の実施例に任意の適切な方式で組合わせられてもよい。
【０３０９】
本発明の様々な実施例では、理解すべきものとして、上記各プロセスの番号の大きさが実行順序を意味せず、各プロセスの実行順序はその機能と内部論理で確定されるべきであり、本発明の実施例の実施プロセスのいかなる限定を構成すべきではないと理解すべきである。
【０３１０】
また、本明細書で用語「システム」と「ネットワーク」は常に本明細書で互換的に使用される。理解すべきものとして、本明細書では用語「及び／又は」は、関連するオブジェクトの関連関係を記述するためのものだけであり、３種類の関係が存在してもよいことを示し、Ａ及び／又はＢは、Ａが単独で存在すること、ＡとＢが同時に存在すること、Ｂが単独で存在することの３つの状況を示すことができる。また、本明細書では文字「／」は、一般的に前後にある関連オブジェクトが「又は」の関係であることを示す。
【０３１１】
理解すべきものとして、本出願出提供される実施例では、「Ａに対応するＢ」がＢがＡと関連することを示し、Ａに基づいてＢを確定することができる。しかし、理解すべきものとして、Ａに基づいてＢを確定することはＡのみに基づいてＢを確定することを意味せず、Ａ及び／又は他の情報に基づいてＢを確定することができる。
【０３１２】
当業者であれば、本明細書で開示された実施例と組み合わせて説明された各例のユニット及びアルゴリズムステップは、電子ハードウェア、コンピュータソフトウェア又は両者のの組み合わせで実現されてもいよいと理解でき、ハードウェアとソフトウェアの互換性を明確に説明するために、以上の説明において各例の構成及びステップを機能に従って一般的に説明した。これらの機能がハードウエア又はソフトウエアで実行されるかは、技術的解決策の特定アプリケーションと設計制約条件に依存する。当業者は各特定のアプリケーションに対して異なる方法を用いて記述される機能を実現することができるが、このような実現は本発明の範囲を超えると見なしてはならない。
【０３１３】
当業者は、便利及び簡潔に説明するために、上記のシステム、装置及びユニットの具体的な動作プロセスについて、前記方法の実施例における対応するプロセスを参照できることを明確に理解することができ、ここでは説明を省略する。
【０３１４】
本出願が提供する、いくつかの実施例では、開示されたシステム、装置及び方法は、他の方式により実現されてもよいと理解すべきである。例えば、上記の装置の実施例は例示的なものだけであり、例えば、前記ユニットの区分は、論理機能的区分だけであり、実際に実施する時に他の区分モードもあり得て、例えば複数のユニット又は構成要素は組み合わせてもよい又は別のシステムに統合されてもよく、又はいくつかの特徴は無視されてもよく、又は実行されなくてもよい。また、示される又は議論される相互結合又は直接結合又は通信接続はいくつかのインターフェース、装置又は機能モジュールを介する間接的結合又は通信接続であってもよく、電気的、機械的又は他の形態であってもよい。
【０３１５】
分離部材として説明された前記ユニットは物理的に分離するものであってもよく又は物理的に分離するものでなくてもよく、ユニットとして表示された部材は物理的要素であってもよく又は物理的ユニットでなくてもよく、すなわち一つの箇所に位置してもよく、又は複数のネットワーク要素に分布してもよい。実際のニーズに応じてそのうちの一部又は全てのユニットを選択して本実施例の技術的解決策の目的を達成することができる。
【０３１６】
また、本発明の各実施例における各機能ユニットは一つの処理ユニットに統合されてもよく、個々のユニットは単独で物理的に存在してもよく、二つ又は二つ以上のユニットは一つのユニットに統合されてもよい。
【０３１７】
以上は、本発明の具体的な実施形態だけであり、本発明の保護範囲はこれに制限されず、当業者が本発明に開示された技術範囲内で容易に想到し得る変化又は入れ替わりが全て本発明の保護範囲以内に含まれるべきである。したがって、本発明の保護範囲は前記請求項の保護範囲に準ずるべきである。
【図１】
0006982081.tif 000002
【図２】
0006982081.tif 000003
【図３】
0006982081.tif 000004
【図４】
0006982081.tif 000005
【図５】
0006982081.tif 000006
【図６】
0006982081.tif 000007
【図７】
0006982081.tif 000008
【図８】
0006982081.tif 000009
【図９】
0006982081.tif 000010
【図１０】
0006982081.tif 000011
【図１１】
0006982081.tif 000012
【図１２】
0006982081.tif 000013
【図１３】
0006982081.tif 000014
【図１４】
0006982081.tif 000015
【図１５】
0006982081.tif 000016
【図１６】
0006982081.tif 000017
【図１７】
0006982081.tif 000018
【図１８】
0006982081.tif 000019
【図１９】
0006982081.tif 000020
【図２０】
0006982081.tif 000021
【図２１】
0006982081.tif 000022
【図２２】
0006982081.tif 000023
【図２３】
0006982081.tif 000024
【図２４】
0006982081.tif 000025
【図２５】
0006982081.tif 000026
【図２６】
0006982081.tif 000027
【図２７】
0006982081.tif 000028